(57)【要約】  本発明に係る無線通信方法は、基地局（ＢＳ）からユーザ装置（ＵＥ）へ、チャネル状態情報参照信号（ＣＳＩ−ＲＳ）を送信するＣＳＩ−ＲＳ送信工程を含む。ＣＳＩ−ＲＳは、複数のリソースエレメント（ＲＥ）に準直交または非直交多重化されている。ＢＳは、複数のＣＳＩ−ＲＳをＵＥに送信し、複数のＣＳＩ−ＲＳは同じＲＥに多重化される。この方法は、ＢＳにおいて、複数のＲＥに異なる送信電力を適用する工程をさらに含み、ＢＳからＵＥに、適用された異なる送信電力の値を示す送信電力情報を通知する。この方法はさらに、ＢＳにおいて、複数のＲＥを所定のスクランブルシーケンスでスクランブルする工程をさらに含み、ＢＳからＵＥに、所定のスクランブルシーケンスを示すスクランブルシーケンス情報を通知する工程をさらに含む。
2020506563.tif 000002
【特許請求の範囲】
【請求項１】
基地局（ＢＳ）からユーザ装置（ＵＥ）へ、チャネル状態情報参照信号（ＣＳＩ−ＲＳ）を送信するＣＳＩ−ＲＳ送信工程を含み、前記ＣＳＩ−ＲＳは、複数のリソースエレメント（ＲＥ）に準直交または非直交多重化されていることを特徴とする無線通信方法。
【請求項２】
前記ＣＳＩ−ＲＳ送信工程は、複数のＣＳＩ−ＲＳを前記ＵＥに送信し、前記複数のＣＳＩ−ＲＳは同じＲＥに多重化されることを特徴とする請求項１記載の無線通信方法。
【請求項３】
前記ＢＳにおいて、前記複数のＲＥに異なる送信電力を適用する適用工程をさらに含むことを特徴とする請求項１記載の無線通信方法。
【請求項４】
前記ＢＳから前記ＵＥに、適用された前記異なる送信電力の値を示す送信電力情報を通知する工程をさらに含むことを特徴とする請求項３記載の無線通信方法。
【請求項５】
前記適用工程において、前記複数のＲＥの一部にゼロ電力（ＺＰ）を適用することを特徴とする請求項３記載の無線通信方法。
【請求項６】
前記ＢＳにおいて、前記複数のＲＥを所定のスクランブルシーケンスでスクランブルする工程をさらに含むことを特徴とする請求項１記載の無線通信方法。
【請求項７】
前記ＢＳから前記ＵＥに、前記所定のスクランブルシーケンスを示すスクランブルシーケンス情報を通知する工程をさらに含むことを特徴とする請求項６記載の無線通信方法。
【請求項８】
前記ＢＳにおいて、前記複数のＲＥを所定のスクランブルシーケンスでスクランブルする工程をさらに含むことを特徴とする請求項３記載の無線通信方法。
【請求項９】
前記ＢＳから前記ＵＥに、前記所定のスクランブルシーケンスを示すスクランブルシーケンス情報を通知する工程をさらに含むことを特徴とする請求項８記載の無線通信方法。
【請求項１０】
前記ＢＳにおいて、前記複数のＲＥを所定のスクランブルシーケンスでスクランブルする工程をさらに含むことを特徴とする請求項４記載の無線通信方法。
【請求項１１】
前記ＢＳから前記ＵＥに、前記所定のスクランブルシーケンスを示すスクランブルシーケンス情報を通知する工程をさらに含むことを特徴とする請求項１０記載の無線通信方法。
【請求項１２】
前記ＣＳＩ−ＲＳ送信工程は、異なるビームを使用して複数のＣＳＩ−ＲＳを送信し、
前記ＵＥは、前記送信電力情報を用いて前記異なるビームを検出することを特徴とする請求項４記載の無線通信方法。
【請求項１３】
前記ＵＥから前記ＢＳに、検出したビームを示すフィードバック情報を送信するフィードバック情報送信工程をさらに含むことを特徴とする請求項１２記載の無線通信方法。
【請求項１４】
前記ＣＳＩ−ＲＳ送信工程は、異なるビームを使用して複数のＣＳＩ−ＲＳを送信し、
前記ＵＥは、前記スクランブルシーケンス情報を用いて前記異なるビームを検出することを特徴とする請求項７記載の無線通信方法。
【請求項１５】
前記ＵＥから前記ＢＳに、検出したビームを示すフィードバック情報を送信するフィードバック情報送信工程をさらに含むことを特徴とする請求項１４記載の無線通信方法。
【請求項１６】
前記ＣＳＩ−ＲＳ送信工程は、異なるビームを使用して複数のＣＳＩ−ＲＳを送信し、
前記ＵＥは、前記送信電力情報及び前記スクランブルシーケンス情報を用いて前記異なるビームを検出することを特徴とする請求項１１記載の無線通信方法。
【請求項１７】
前記ＵＥから前記ＢＳに、検出したビームを示すフィードバック情報を送信するフィードバック情報送信工程をさらに含むことを特徴とする請求項１６記載の無線通信方法。
【請求項１８】
基地局（ＢＳ）から、多重化情報と複数のチャネル状態情報参照信号（ＣＳＩ−ＲＳ）を異なるビームを使用して受信する受信部と、
前記多重化情報に基づいて前記異なるビームの少なくとも１つを検出するプロセッサと、を具備し、
前記複数のＣＳＩ−ＲＳは、複数のリソースエレメント（ＲＥ）に準直交または非直交多重化されており、
前記多重化情報は、前記複数のＣＳＩ−ＲＳの多重化に使用される準直交多重化方法または非直交多重化方法を示すことを特徴とするユーザ装置（ＵＥ）。
【請求項１９】
前記ＢＳに、検出した前記ビームを示すフィードバック情報を送信する送信部をさらに具備する請求項１８記載のＵＥ。
【請求項２０】
基地局（ＢＳ）から送信される多重化情報に基づいて、複数のチャネル状態情報参照信号（ＣＳＩ−ＲＳ）の送信に使用される異なるビームのうちの少なくとも１つを検出するプロセッサと、
前記ＢＳに、検出した前記ビームを示すフィードバック情報を送信する送信部と、を具備し、
前記複数のＣＳＩ−ＲＳは、複数のリソースエレメント（ＲＥ）に準直交または非直交多重化されており、
前記多重化情報は、前記複数のＣＳＩ−ＲＳの多重化に使用される準直交多重化方法または非直交多重化方法を示すことを特徴とするユーザ装置（ＵＥ）。
【発明の詳細な説明】
【技術分野】
【０００１】
本発明は、無線通信システムにおいてチャネル状態情報参照信号（ＣＳＩ−ＲＳ）等の下りリンク参照信号を多重化する方法に関する。
【背景技術】
【０００２】
マッシブＭＩＭＯ（Ｍａｓｓｉｖｅ  Ｍｕｌｔｉ−Ｉｎｐｕｔ−Ｍｕｌｔｉ−Ｏｕｔｐｕｔ）（Ｍ−ＭＩＭＯ）技術を用いた高密度セルラーネットワークは、将来の無線アクセス技術にとって非常に魅力的な候補になりつつある。これは、Ｍａｓｓｉｖｅ  ＭＩＭＯが、各送信リソースエレメントにわたって多数の高レートストリームを多重化することができ、そのことによって、ＢＳ毎に非常に大きなスループット増加を提供できるからある。
【０００３】
単位面積当たりのスループットに関して物理（ＰＨＹ）レイヤにおける大きな利益が、できる限り大きなアンテナアレイを装備した、スモールセルの高密度ネットワークからなる高密度インフラストラクチャアンテナ配備の賢明な使用から来ることは今や広く受け入れられている。実際、Ｍａｓｓｉｖｅ  ＭＩＭＯは、原則として既存の配置に対して単位面積あたりのスループットが大幅に向上する可能性があるため、高密度（スモールセル）配置で使用する場合に非常に魅力的である。
【０００４】
マッシブＭＩＭＯはまた、例えばモール又は過密な広場などのユーザトラフィックホットスポットを効果的に対処するような、ユーザ負荷の大きな変動に対処するための候補として想定されている。ユーザトラフィックホットスポットを処理するために（特に）魅力的であると考えられる配置オプションは、基地局（ＢＳ）が多くの場所に分散している大量のアンテナセットを制御する遠隔無線ヘッド（ＲＲＨ）システムを含む。現在ＲＲＨシステムとして提案されているのは、ＲＲＨサイト当たり１つまたは多くても２、３のアンテナを考慮するものである。しかしながら、より高い周波数帯域（ミリ波帯域を含む）で利用可能になると予想される帯域幅では、アンテナ素子を互いにはるかに接近させて配置し、ＲＲＨサイト当たりに多数のアンテナを有するＲＲＨを考慮することが可能になる。これにより、原理的には、ネットワークが高密度化および大型アンテナアレイの利点を同時に獲得することが可能になり、それによって単位面積当たりの大きなスペクトル効率がもたらされる。
【０００５】
ヘテロジニアスネットワークを図１に示す。その左図のＲＲＨは、ユーザ装置（ＵＥ）またはマクロセルのカバレッジ内のいくつかのホットスポット内のユーザ装置（ＵＥ）にサービスを提供するために３．５ＧＨｚ帯域を使用する４Ｇ  ＬＴＥを利用する。右図のＲＲＨがミリ波帯などのより高い搬送波周波数のスペクトルを使用するＮｅｗ  Ｒａｄｉｏ（ＮＲ）システムを利用する場合であって、その場合、伝搬は過酷であり、自由空間伝搬損失は高くなり、回折損失と同様に浸透損失はより高くなる。これら全ての著しい伝搬損失は、より低い周波数帯域を使用した場合の各ＲＲＨのカバー範囲を狭めるであろう。しかしながら、アンテナ素子が小さくなるので、より高い周波数を使用する場合にもまた機会がある。より小さなアンテナにより多くの要素を詰めることが可能になる。例えば、２．６ＧＨｚ用の最先端のアンテナは約１メートルの高さで、２０個の要素を含む。１５ＧＨｚでは、幅５ｃｍ、高さ２０ｃｍで２００素子のアンテナを設計することができる。より多くのアンテナ素子を用いると、意図する受信機に向かって送信を導くことが可能になる。したがって、ＲＲＨにマッシブＭＩＭＯを使用して、特定の方向に送信を集中させることで、カバレッジが大幅に向上する。ＲＲＨ送信機が非常に多数の送信アンテナ（例えば３２、６２、または１００）を装備している場合、少ない数の受信アンテナ（例えば１、２、４）を用いる複数のＵＥへ同時に送信することができる。
【０００６】
より高い帯域周波数が利用可能になり無線ネットワークがますます高密度になるにつれて、アンテナ／サイトの高密度化を単位面積当たりのスペクトル効率の向上に変換することを可能にする方法が必要とされるのは明らかである。大規模ＭＩＭＯによって生成される空間ビームはビームセルとみなすことができ、ビームセルから複数のＵＥへの同時送信はシステムのスループットを期待通りに高めることができる。しかしながら、よく計画されたセルラーネットワークでは、セル位置、セルカバレッジ及びセル数が固定されている場合、ネットワーク密度の増加によって同様の利得が達成される動作（すなわち、ビーム数及びセル数の両方が増え、それらのカバレッジが設定可能となる場合）は、現在の最先端の方法では不可能である。
【０００７】
ＬＴＥの下りリンクでは、５つの異なるタイプのＲＳが提供されている。
・セル固有ＲＳ
（セル内のすべてのＵＥが利用可能であり、ＵＥ固有の処理が適用されないため、「共通」ＲＳと呼ばれる。）
・ＵＥ固有ＲＳ
復調用参照信号（ＤＭ−ＲＳ）とも呼ばれ、固有のＵＥのデータに埋め込むことができる（リリース８で導入され、リリース９及び１０に拡張されている）。
・ＭＢＳＦＮ固有ＲＳ
ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）動作にのみ使用される。
・ポジショニングＲＳ
リリース９以降、ＵＥの位置測定のために特定の「ポジショニングサブフレーム」に埋め込むことができる。
・ＣＳＩ−ＲＳ
リリース１０で特に下りリンクのチャネル状態を推定する目的で導入されたもので、データ復調用ではない。
【０００８】
各ＲＳパターンは、ｅＮＢのアンテナポートから送信される。アンテナポートは、実際には、物理的に単一の送信アンテナとして、または複数の物理アンテナエレメントの組み合わせとして実装することができる。所定のアンテナポートに対応する送信ＲＳは、ＵＴの観点からアンテナポートを定義し、そのことによりＵＴは、それが、１つの物理アンテナからの単一の無線チャネルを表すか、またはアンテナポートを構成する多数の物理アンテナ要素からの複合チャネルを表すかに関わらず、送信されるすべてのデータについてチャネル推定値を導出するかまたはアンテナポートでＣＳＩフィードバックを生成することができる。ＬＴＥで利用可能なアンテナポートの指定を以下に示す。
・アンテナポート０〜３：セル固有ＲＳ
・アンテナポート４：ＭＢＳＦＮ
・アンテナポート５：シングルレイヤビームフォーミング用ＤＭ−ＲＳ
・アンテナポート６：ポジショニングＲＳ（Ｒｅｌｅａｓｅ９で導入）
・アンテナポート７〜８：デュアルレイヤビームフォーミング用のＤＭ−ＲＳ（Ｒｅｌｅａｓｅ９で導入）
・アンテナポート９〜１４：マルチレイヤビームフォーミング用のＤＭ−ＲＳ（Ｒｅｌｅａｓｅ１０で導入）
・アンテナポート１５〜２２：ＣＳＩ−ＲＳ（Ｒｅｌｅａｓｅ１０で導入）
【０００９】
以下、現在のセルラＬＴＥシステムにおいてチャネル状態情報（ＣＳＩ）メジャメントに使用される下りリンク参照信号（ＤＬ  ＲＳ）について簡単に説明する。ＵＴは、下りリンクＲＳを使用してｅＮＢ送信部からＵＴ受信部への下りリンクチャネルを測定し、上りリンクでＣＳＩ測定値を報告する。ＬＴＥ  リリース８では最大４つのアンテナポートにＣＲＳを提供している。ＣＲＳは、データの復調のためにチャネル推定を実行するため、およびダウンリンク無線チャネルの品質および空間特性に関するフィードバックを導出するためにＵＥによって使用される。ＣＲＳは、無線リソース管理（ＲＲＭ）測定のためにすべてのサブフレームで送信される。通常ＣＲＳは、ｅＮＢ側でプリコーディングせず、ブロードキャストしており、ユーザ固有の処理は適用されない。ＣＳＩ−ＲＳは、データ送信のためではなく、特に下りリンクＣＳＩを推定する目的で、ＬＴＥリリース１０で導入されている。ＣＳＩ−ＲＳは、最大８つのアンテナポートをサポートし、ネットワーク構成においてより柔軟性がある。
【００１０】
ＣＳＩ−ＲＳの主な目的は、ｅＮＢのプリコーディング動作を支援するために最大８つの送信アンテナポートに対するチャネル状態フィードバックを得ることである。リリース１０は、１、２、４、及び８送信アンテナポートでＣＳＩ−ＲＳの送信をサポートしている。ＣＳＩ−ＲＳによってＵＥは、サービングセルだけではなく複数のセルのＣＳＩも推定することが可能となり、将来のマルチセル協調送信方式をサポートできる。セル内又は、可能な場合は、異なるセルからの異なるアンテナポートのＣＳＩ−ＲＳは、正確なＣＳＩ推定を可能にするために直交多重化されるべきである。
【００１１】
リリース１３では、直交ＣＤＭ（符号分割多重）送信に基づいて、ＣＳＩ−ＲＳの送信を１２、１６の送信アンテナポートに拡張する。それに対応して、ＣＳＩ−ＲＳは、ｐ＝１５、ｐ＝１５〜１６、ｐ＝１５〜１８、ｐ＝１５〜２２、ｐ＝１５〜２６、及びｐ＝１５〜３０、をそれぞれ使用して、１、２、４、８、１２、及び１６アンテナポートで送信される。８個を超えるアンテナポートを使用するＣＳＩ−ＲＳの場合、同じサブフレーム内で０からＮｒｅｓＣＳＩ−１までの番号が付けられたＮｒｅｓＣＳＩ＞１個のＣＳＩ−ＲＳ設定が集約されて、トータルでＮｒｅｓＣＳＩ＊ＮｐｏｒｔｓＣＳＩ個のアンテナポートが得られる。ここで、ＣＳＩ−ＲＳ構成の数ＮｒｅｓＣＳＩ＝３又は２である場合、ＣＳＩ−ＲＳ構成ＮｐｏｒｔｓＣＳＩ毎のアンテナポートの数は、それぞれ４又は８に等しい。マッピングは上位レイヤパラメータＣＤＭＴｙｐｅ（符号分割多重化のタイプ）に依存し、ここでＣＤＭＴｙｐｅ＝ＣＯＭ２又はＣＤＭ４に対してそれぞれ異なる直交２×２又は４×４アダマール符号が使用される。上位層パラメータＣＳＩ−ＲＳ構成は、集合Ｓ内の任意のアンテナポート上でＣＳＩ−ＲＳ送信に使用されるｋ番目のサブキャリアおよびｌ番目のＯＦＤＭシンボル内のリソースエレメント（ｋ、ｌ）を通知する。ここで、ＣＤＭＴｙｐｅが設定されていない場合はＳ＝｛１５｝であり、ＣＤＭＴｙｐｅ=ＣＤＭ２の場合はＳ=｛１５，１６｝、Ｓ=｛１７，１８｝、Ｓ=｛１９，２０｝、Ｓ=｛２１，２２｝であり、ＣＤＭＴｙｐｅ=ＣＤＭ４の場合であって１２ポートのＣＳＩ参照信号に対しては、Ｓ=｛１５，１６，１７，１８｝、Ｓ=｛１９，２０，２１，２２｝、Ｓ=｛２３，２４，２５，２６｝であり、ＣＤＭＴｙｐｅ=ＣＤＭ４の場合であって１６ポートのＣＳＩ参照信号に対しては、Ｓ=｛１５，１６，１９，２０｝、Ｓ=｛１７，１８，２１，２２｝、Ｓ=｛２３，２４，２７，２８｝、Ｓ=｛２５，２６，２９，３０｝である。
【００１２】
セル内の各ＣＳＩ−ＲＳパターンにマッピングされるＣＳＩ−ＲＳシーケンスは、セル内のセルＩＤの関数として擬似ランダムシーケンス生成部によって生成される。Ｒｅｌ．１０では、セルＩＤは、ｅＮＢによって明示的にシグナリングされないが、プライマリ同期信号（ＰＳＳ）及びセカンダリ同期信号（ＳＳＳ）の関数としてＵＴによって暗黙的に導出される。無線ネットワークに接続するために、ＵＴは最も強いセルに同期するために下りリンクセルサーチを実行する。セルサーチは、各セルのＰＳＳ／ＳＳＳをブラインドで検出し、異なるセルの受信電力強度を比較することによって行われる。セルサーチが首尾よく実行された後に、ＵＴは最も強いセルへの接続を確立しＰＳＳ／ＳＳＳからセルＩＤを引き出す。
【００１３】
周波数領域では、ＣＳＩ−ＲＳは各リソースブロック内で一様な間隔で配置されている。時間領域では、ＣＳＩ−ＲＳを含むサブフレームの数は、正確なＣＳＩ推定と、全体的なオーバーヘッド、効率的な動作及びＣＳＩ―ＲＳの存在知らずにそのデータがＣＳＩ−ＲＳ送信によってパンクチャされてしまうリリース１０以前のレガシーＵＥへの影響の最小化と、の間のトレードオフのために最小化される。また、ＣＳＩ−ＲＳは、セル固有ＲＳ（ＣＲＳ）および制御チャネル（ＰＤＣＣＨ）に使用されるリソース要素、ならびにＵＥ固有専用ＲＳ（ＤＲＳ；ＵＥ−ｓｐｅｃｉｆｉｃ  ｄｅｄｉｃａｔｅｄ  ＲＳ）または復調ＲＳ（ＤＭ−ＲＳ；ｄｅｍｏｄｕｌａｔｅｄ  ＲＳ）に使用されるリソース要素を回避するべきである。
【００１４】
ＬＴＥリリース１０では、図２Ａに示すように、ＣＳＩ−ＲＳは、ｐ＝１５、ｐ＝１５、１６、ｐ＝１５、・・・、１８、およびｐ＝１５、・・・、２２を使用して、１、２、４または８個のアンテナポートでそれぞれ送信される。こで、ＣＳＩ−ＲＳの各パターンはＣＳＩ−ＲＳ構成を表し、インデックス０〜７はそれぞれＣＳＩ−ＲＳポートインデックス１５〜２２に対応する。ＣＤＭＴｙｐｅ＝２の場合、長さ２のＣＤＭコードが使用されるので、２つのアンテナポート上のＣＳＩ−ＲＳは所定のサブキャリア上の２つのＲＥを共有する。８／４／２個のＣＳＩ−ＲＳポートの場合は、それぞれ５／１０／２０個のＣＳＩ−ＲＳ設定がある。ＬＴＥリリース１３のＣＳＩ−ＲＳは最大１６個のアンテナポートをサポートできるが、８個以上のアンテナポートがＣＤＭを使用して多重化される。同様に、各セルは１つのＣＳＩ−ＲＳ構成しか使用することができず、ＣＳＩ−ＲＳ密度はアンテナポートあたりＲＢごとに１つの直交である。ＣＳＩ−ＲＳ構成０の場合の、各ＣＳＩ−ＲＳポートに対するＣＳＩ−ＲＳリソースユニット（ＲＵ）割り当てを、図２Ｂおよび図２Ｃに示す。
【００１５】
ＬＴＥ  Ｒｅｌ．１０におけるＣＳＩ−ＲＳ構成は、シングルセルフレームワークに基づいている。構成される場合、ＣＳＩ−ＲＳは、所定のデューティサイクルおよびサブフレームオフセットに従ったいくつかの特定のサブフレームにのみ存在する。ＣＳＩ−ＲＳを含むサブフレームのデューティサイクルおよびオフセット、ならびにそれらのサブフレームで使用されるＣＳＩ−ＲＳパターンは、ＲＲＣシグナリングでリリース１０のＵＥに提供される。Ｎｔ、Ｎｉ、Ｎｐ、Ｎｏｆｆｓｅｔおよびαを含むＣＳＩ−ＲＳのためのパラメータは、準静的な無線リソース制御（ＲＲＣ）上位レイヤシグナリングを介して各ＵＴに明示的に設定される。ＮｔはＣＳＩ−ＲＳアンテナポートの数である。ＬＴＥリリースでは１０では、アンテナポートの数は１、２、４または８であってもよい。Ｎｉは、ＣＳＩ−ＲＳアンテナポートの数に基づく、特定のＣＳＩ−ＲＳパターンに対応するＣＳＩ−ＲＳパターンインデックスである。Ｎｐは、ＣＳＩ−ＲＳ送信のデューティサイクルまたは周期である。Ｎｐ＝５の場合、ＣＳＩ−ＲＳは５サブフレームごとに送信される。ＬＴＥでは、各サブフレームが１ｍｓである。Ｎｏｆｆｓｅｔはサブフレームオフセットである。デューティサイクルおよびサブフレームオフセットは、ＬＴＥ  Ｒｅｌ．１０ではジョイント符号化され、ＣＳＩ−ＲＳを含むダウンリンクサブフレームでＵＴにシグナリングされる。パラメータαは、ＣＳＩフィードバックのための基準ＰＤＳＣＨ送信電力に関するＵＴ推定を制御するために使用される。
【先行技術文献】
【非特許文献】
【００１６】
【非特許文献１】ＴＳ２６．２１１  Ｖ１３．０．０
【発明の概要】
【発明が解決しようとする課題】
【００１７】
ＬＴＥ  ＣＳＩ−ＲＳの多重化は、ＴＤＭ／ＦＤＭ／ＣＤＭに基づく直交リソースである。しかしながら、マッシブＭＩＭＯ通信システムの場合、現在のＬＴＥ  ＣＳＩ−ＲＳは、限られたリソース（例えばアンテナポート）上で多数のビーム／ストリーム（＞１６ストリーム）に対するＣＳＩ−ＲＳをサポートすることができない。直交リソースのアンテナポートを拡張することは、データ送信のためにリソースを犠牲にし、より大きなオーバーヘッドおよびより低いシステムスループットをもたらすので、望ましくない。
【課題を解決するための手段】
【００１８】
本発明の１つ以上の実施形態は、上述の問題に対処することができ、以下に記載される利点を提供し得る。したがって、本発明の目的は、ユーザ装置（ＵＥ）のチャネル測定効率を向上させると共に、マッシブＭＩＭＯを用いたｅｖｏｌｖｅｄ  ＮｏｄｅＢ（ｅＮＢ）またはＲＲＨのリソース管理効率を向上させることができるチャネル状態情報参照信号（ＣＳＩ−ＲＳ）を送信する方法を提供することである。
【００１９】
本発明の１つ以上の実施形態によれば、ＬＴＥにおけるＣＳＩ−ＲＳ送信への良好な互換性を持った、直交周波数分割多重（ＯＦＤＭ）ベースのシステムにおけるＣＳＩ−ＲＳ送信方法が提供される。その方法は、設定されたサブフレーム内の設定されたＰＲＢがＣＳＩ−ＲＳを搬送すると想定される場合に、サブフレームの物理リソースブロック（ＰＲＢ）内の複数の重複および非重複ビームに対するＣＳＩ−ＲＳパターンを決定することを含む。多数のビームのためのＣＳＩ−ＲＳは、追加のリソースなしで、ＣＳＩ−ＲＳ  ＲＵ上にビーム固有のＣＳＩ−ＲＳパターンを適用して、従来の１／２／４／８／１２／１６のＣＳＩ−ＲＳアンテナポートで多重化される。ここで、ＲＵはＣＳＩ−ＲＳが送信されるＲＢ、またはＣＳＩ−ＲＳアンテナポートセットＳ上の１つ以上のリソースエレメントである。また、ＣＤＭＴｙｐｅが設定されていない場合はＳ＝｛１５｝であり、ＣＤＭＴｙｐｅ=ＣＤＭ２の場合はＳ=｛１５，１６｝、Ｓ=｛１７，１８｝、Ｓ=｛１９，２０｝、Ｓ=｛２１，２２｝であり、ＣＤＭＴｙｐｅ=ＣＤＭ４の場合であって１２ポートのＣＳＩ参照信号に対しては、Ｓ=｛１５，１６，１７，１８｝、Ｓ=｛１９，２０，２１，２２｝、Ｓ=｛２３，２４，２５，２６｝であり、ＣＤＭＴｙｐｅ=ＣＤＭ４の場合であって１６ポートのＣＳＩ参照信号に対しては、Ｓ=｛１５，１６，１９，２０｝、Ｓ=｛１７，１８，２１，２２｝、Ｓ=｛２３，２４，２７，２８｝、Ｓ=｛２５，２６，２９，３０｝である。
【００２０】
本発明の１つ以上の実施形態によれば、複数の仮想ビームセルに対してＣＳＩ−ＲＳパターンを設計する方法を提供する。それらの仮想ビームセルの詳細な構成がＵＥから見えるように、それらの仮想ビームセルは同じセル識別（ＩＤ）を共有する。重なり合っていない（空間的に直交している）仮想ビームセルは一緒にグループ化され、重なり合っている（空間的に直交していない）仮想ビームセルは異なるグループに分割される。１つのグループ内の仮想ビームセルのみが、同じＣＳＩ−ＲＳリソースエレメント（ＲＥ）上でＣＳＩ−ＲＳを送信する。一方、異なるグループ内のものは複数の直交ＣＳＩ−ＲＳ  ＲＥでＣＳＩ−ＲＳを送信する。同じＲＥを共有する各ＣＳＩ−ＲＳは、固有のビームパターンまたはビームインデックスによって識別され、それらによってＵＴ受信部側で容易に検出される。ＵＴが仮想ビームセルのカバレッジ内にある場合、ＵＴはＣＳＩ−ＲＳパターン検出に基づいて対応するビームパターンを識別し、対応するビームインデックスをフィードバックしてネットワークにＵＴが選択した仮想ビームセルを知らせる。
【００２１】
本発明の１つ以上の実施形態によれば、ＢＳからＵＥへ、ＣＳＩ−ＲＳを送信することを含む無線通信方法を提供する。ＣＳＩ−ＲＳは、複数のリソース要素（ＲＥ）上で準直交的または非直交的に多重化されてもよい。
【００２２】
本発明の１つ以上の実施形態によれば、ＵＥは、ＢＳから多重化情報と異なるビームを用いた複数のＣＳＩ−ＲＳを受信する受信部と、前記多重化情報に基づいて前記異なるビームの少なくとも１つのビームを検出するプロセッサとを含む。複数のＣＳＩ−ＲＳは、複数のＲＥに準直交多重または非直交多重化される。多重化情報は、複数のＣＳＩ−ＲＳの多重化に使用される準直交多重化方法または非直交多重化方法を示す。
【００２３】
本発明の１つ以上の実施形態によれば、ＵＥは、ＢＳから送信される多重化情報に基づいて、複数のＣＳＩ−ＲＳ送信に使用される複数の異なるビームのうちの少なくとも１つのビームを検出するプロセッサと、検出されたビームを示すフィードバック情報をＢＳに送信する送信部とを含む。複数のＣＳＩ−ＲＳは、複数のＲＥに準直交的または非直交的に多重化されている。多重化情報は、複数のＣＳＴＲＳを多重化するために使用される準直交多重化方法または非直交多重化方法を示す。
【図面の簡単な説明】
【００２４】
【図１】ＨｅｔＮｅｔにおけるマッシブＭＩＭＯシステムの構成を示す図である。
【図２Ａ】本発明の１つ以上の実施形態のリソースブロック（ＲＢ）においてＣＳＩ−ＲＳアンテナポートに割り当てられたリソース要素（ＲＥ）を示す図である。
【図２Ｂ】ＣＳＩ参照信号のマッピング構成（ＣＳＩ構成０、通常サイクリックプレフィックス）を示す図である。
【図２Ｃ】ＣＳＩ参照信号のマッピング構成（ＣＳＩ構成０、通常サイクリックプレフィックス）を示す図である。
【図３】本発明の１つ以上の実施形態に係る無線通信システムの構成を示す図である。
【図４Ａ】本発明の１つ以上の実施形態に係る仮想ビームセルを示す図である。
【図４Ｂ】本発明の１つ以上の実施形態に係る仮想ビームセルを示す図である。
【図４Ｃ】本発明の１つ以上の実施形態に係る仮想ビームセルを示す図である。
【図５Ａ】本発明の１つ以上の実施形態に係る４つのＣＳＩ−ＲＳポートにおける４つのグループであって１つのグループにつき４つのビームを有するＣＳＩ−ＲＳパターンを示す図である。
【図５Ｂ】本発明の１つ以上の実施形態に係る８つのＣＳＩ−ＲＳポートにおける８つのグループであって１つのグループにつき２つのビームを有するＣＳＩ−ＲＳパターンを示す図である。
【図６Ａ】本発明の第１の実施例の１つ以上の実施形態に係るビーム固有のＣＳＩ−ＲＳパターンを示す図である。
【図６Ｂ】本発明の第１の実施例の１つ以上の実施形態に係るビーム固有のＣＳＩ−ＲＳパターンを示す図である。
【図６Ｃ】本発明の第１の実施例の１つ以上の実施形態に係るビーム固有のＣＳＩ−ＲＳパターンを示す図である。
【図７】本発明の第１の実施例の１つ以上の実施形態に係る０／バイナリパワーレベル設定に基づく、直交ビームグループのビーム固有ＣＳＩ−ＲＳパターンを示す表である。
【図８】本発明の第１の実施例の１つ以上の実施形態に係る通常のサイクリックプレフィックスを有するＣＳＩ−ＲＳ構成を示す図である。
【図９Ａ】本発明の第１の実施例の１つ以上の実施形態に係るビーム選択のためのＣＳＩ−ＲＳ１およびＣＳＩ測定のためのＣＳＩ−ＲＳ２の例を示す図である。
【図９Ｂ】本発明の第１の実施例の１つ以上の実施形態に係るＮＺＰ／ＺＰ−ＣＳＩ−ＲＳ  ＲＵに異なる周期が適用される例を示す図である。
【図１０Ａ】本発明の第１の実施例の１つ以上の実施形態に係るビーム固有ＣＳＩ−ＲＳパターン検出の一例を示す図である。
【図１０Ｂ】本発明の第１の実施例の１つ以上の実施形態に係るビーム固有ＣＳＩ−ＲＳパターン検出の一例を示す図である。
【図１１】本発明の第１の実施例の１つ以上の実施形態に係るビーム固有ＣＳＩ−ＲＳパターンに基づくビーム切換の一例を示す図である。
【図１２】本発明の第１の実施例の１つ以上の実施形態に係るビーム切換の動作の一例を示すシーケンス図である。
【図１３】本発明の第２の実施例の１つ以上の実施形態に係るビーム固有ＣＳＩ−ＲＳパターンの一例を示す図である。
【図１４Ａ】本発明の第２の実施例の１つ以上の実施形態に係るビーム固有ＣＳＩ−ＲＳパターン検出の例を示す図である。
【図１４Ｂ】本発明の第２の実施例の１つ以上の実施形態に係るビーム固有ＣＳＩ−ＲＳパターン検出の例を示す図である。
【図１５】本発明の第２の実施例の１つ以上の実施形態に係るビーム固有のＣＳＩ−ＲＳパターンに基づくビーム切換の一例を示す図である。
【図１６】本発明の第２の実施例の１つ以上の実施形態に係るビーム切換の動作の一例を示すシーケンス図である。
【発明を実施するための形態】
【００２５】
以下、本発明の実施形態について図面を参照しながら詳細に説明する。本発明の実施形態では、本発明のより完全な理解を提供するために、特定された詳細が多く説明されている。しかしながら、本発明がこれらの具体的な詳細なしに実施されてもよいことは当業者に明らかであろう。また、本発明を曖昧にすることを避けるために、よく知られている特徴は詳細に説明していない。
【００２６】
図１は、本発明の１つ以上の実施形態に係る無線通信システム１である。無線通信システム１は、ユーザ装置（ＵＥ）１０、基地局２０（例えば、ｇＮｏｄｅＢ（ｇＮＢ）またはＲＲＨ）、およびコアネットワーク３０を含む。無線通信システム１は、Ｎｅｗ  Ｒａｄｉｏ（ＮＲ）システムであってもよい。無線通信システム１は、本明細書に記載の特定の構成に限定されず、ＬＴＥ／ＬＴＥアドバンスト（ＬＴＥ−Ａ）システムなどの任意のタイプの無線通信システムであり得る。
【００２７】
ＢＳ２０は、ＢＳ２０のセル内のＵＥ１０と、上りリンク（ＵＬ）信号及び下りリンク（ＤＬ）信号を通信することができる。ＤＬ信号およびＵＬ信号は制御情報およびユーザデータを含み得る。ＢＳ２０は、バックホールリンク３１を介してコアネットワーク３０とＤＬ信号およびＵＬ信号を通信することができる。ＢＳ２０は、基地局（ＢＳ）の一例である。ＢＳ２０は、送受信ポイント（ＴＲＰ）と呼ばれてもよい。例えば、無線通信システム１がＬＴＥシステムである場合、ＢＳはｅｖｏｌｖｅｄ  ＮｏｄｅＢ（ｅＮＢ）であり得る。
【００２８】
ＢＳ２０は、アンテナと、隣接ＢＳ２０と通信するための通信インタフェース（例えば、Ｘ２インタフェース）と、コアネットワーク３０と通信するための通信インタフェース（例えば、ＳＩインタフェース）と、ＵＥ１０との間で送受信される信号を処理するためのプロセッサまたは回路などのＣＰＵ（Ｃｅｎｔｒａｌ  Ｐｒｏｃｅｓｓｉｎｇ  Ｕｎｉｔ）とを含む。ＢＳ２０の動作は、プロセッサがメモリに格納されたデータおよびプログラムを処理または実行することによって実施され得る。しかしながら、ＢＳ２０は、上述のハードウェア構成に限定されず、当業者によって理解されるように他の適切なハードウェア構成によって実現されてもよい。無線通信システム１のより広いサービスエリアをカバーするように、多数のｇＮＢ２０を配置することができる。
【００２９】
ＵＥ１０は、ＭＩＭＯ技術を使用して、制御情報およびユーザデータを含むＤＬ信号およびＵＬ信号をＢＳ２０と通信することができる。ＵＥ１０は、任意の種類のユーザ、モバイル（ユーザ）端末、移動局、スマートフォン、携帯電話、タブレット、モバイルルータ、またはウェアラブルデバイスなどの無線通信機能を有する情報処理装置であり得る。無線通信システム１は、１つ以上のＵＥ１０を含み得る。
【００３０】
ＵＥ１０は、プロセッサなどのＣＰＵ、ＲＡＭ（Ｒａｎｄｏｍ  Ａｃｃｅｓｓ  Ｍｅｍｏｒｙ）、フラッシュメモリ及び、ＢＳ２０とＵＥ１０との間で無線信号を送受信するための無線通信部を含む。例えば、後述するＵＥ１０の動作は、ＣＰＵがメモリに記憶されたデータやプログラムを処理または実行することによって実現されてもよい。ただし、ＵＥ１０は、上述したハードウェア構成に限定されるものではなく、例えば以下に説明する処理を実現するための回路で構成されてもよい。
【００３１】
本発明の実施形態は、下りリンクＣＳＩ−ＲＳのためのプロトコルおよび手順、またはＢＳ２０（たとえばＲＲＨまたはｇＮＢ）における複数のビームセルを有するマッシブＭＩＭＯシステム（たとえばＮＲシステム）のためのパイロット構成を含み、併せて、ＢＳでのビームセル生成、ならびにＤＬ  ＣＳＩ−ＲＳ検出に基づくＵＥでのビームセル選択および／または選択されたビームセルのチャネル推定のための方法および装置を含む。本発明の実施形態は、無線ネットワークのＤＬ送信およびＤＬ受信において高密度化の大きな利益を実現することを可能にすることができる。
【００３２】
ＣＳＩ−ＲＳ送信のネットワークスペクトル効率を高めることを可能にする方法および装置が開示される。その方法は、仮想ビームセルのために適切に設計されたＣＳＩ−ＲＳビームパターンと、各ユーザ装置における高速ビーム検出のためのメカニズムとの組み合わせ使用に依存する。設計されたＣＳＩ−ＲＳビームパターンは、識別された仮想ビームセルの下りリンクＣＳＩ推定と同様に仮想ビームセル選択のために使用され得る。
【００３３】
開示されるメカニズムはマクロ支援ＲＲＨシステムとして説明されているが、それは他の関連するシナリオに容易に適用することができる。例として、これらの概念は、Ｅｖｏｌｕｔｉｏｎ−Ｄａｔａ  Ｏｐｔｉｍｉｚｅｄ（ＥＶ−ＤＯ）またはウルトラモバイルブロードバンド（ＵＭＢ）に拡張することができる。ＥＶ−ＤＯおよびＵＭＢは、ＣＤＭＡ２０００ファミリーの規格の一部として３ＧＰＰ２によって公布された無線インターフェース規格であり、移動局へのブロードバンドインターネットアクセスを提供するためにＣＤＭＡを使用する。これらの概念はまた、ワイドバンドＣＤＭＡ（Ｗ−ＣＤＭＡ）およびＣＤＭＡの他の変形を使用するユニバーサル地上無線アクセス（ＵＴＲＡ）に拡張され得る。ＣＤＭＡの他の変形としては、ＴＤ−ＣＤＭＡ、ＴＤＭＡを使用するグローバル移動体通信システム（ＧＳＭ）（登録商標）、及びＯＦＤＭＡを使用するＥｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭ等がある。ＵＴＲＡ、Ｅ−ＵＴＲＡ、ＵＭＴＳ、ＬＴＥ及びＧＳＭ（登録商標）は、３ＧＰＰからの文書に記載されている。ＣＤＭＡ２０００およびＵＭＢは、３ＧＰＰ２からの文書に記載されている。実際の無線通信規格および使用されるマルチアクセス技術は、特定の用途およびシステムに課される全体的な設計上の制約に依存する。
【００３４】
このような一実施形態では、同期スモールセル、低電力ノード（ＬＰＮ）、ＢＳ、ＲＲＨ、ＲＲＨサイトごとに指向性アンテナを有する同じ場所のセクタ、大きなアンテナアレイを使用するＲＲＨサイトごとに異なる空間フィルタを有する仮想セルまたはセクタ、フェムトセルまたは分散アンテナを検討する。
【００３５】
（システムモデル）
本明細書に開示されている方法を、無線通信システム１に関して以降で詳細に説明する。同様の方法は、スモールセル、アクセスポイントなどのネットワークに直接的に適用することができる。一般性を失うことなく、マクロセルにおけるセンタープロセッサ（ＣＰ）を含む以下のシナリオを説明する。図２に示すように、複数のアクティブＵＥ１０をサーブするＢＳ２０（ＪＲＲＨサイト）を制御する、すなわち、マルチキャリアＦＤＭＡ、シングルキャリアＦＤＭＡを含む直交周波数領域多重アクセス（ＯＦＤＭＡ）に基づいてＵＥ１０群をサーブする。
【００３６】
時間／スペクトルリソースはリソースブロック（ＲＢ）に分割される。それは連続したサブキャリアとシンボルのブロックである。各ＲＢ内で、ネットワーク上のＵＥ１０のサブセットがアクティブである、すなわち送信のためにスケジュールされていると仮定する。一般性を失うことなく、スケジューラ動作が発生すると、それに応じて、アクティブＵＥ１０のセットは、いくつかの同時タイムスロットまたはＯＦＤＭシンボルにわたって同じであると仮定する。必ずしも必要ではないが、処理を具体的にするために、チャネル係数が各ＲＢ／スロット内で一定のままであるブロックフェージングチャネルモデルを想定する。
【００３７】
本発明の１つ以上の実施形態では、ミリ波帯域が、現在のＬＴＥベースのセルラーネットワークに加えて桁違いに利用可能な帯域幅を提供できるので、高速データ伝送に使用されると想定される。ミリ波帯では、小さな設置面積で、ＢＳ２０においてはるかに多数のアンテナをサポートすることができる。ＵＥ１０に１つまたは２つのアンテナしかない場合であっても、マッシブＭＩＭＯを有するＢＳ２０は、所望のＵＥ１０により多くの信号電力を放出し、望ましくないＵＥ１０に対して干渉を少なくするために、非常に鋭いビームを近接してＵＥ１０に生成することができる。
【００３８】
ＢＳ２０は、下りリンクカバレッジを増大させるために、マッシブＭＩＭＯビームフォーミングを使用してビーム方向における限られた送信電力を高めると仮定する。図４Ａおよび図４Ｂに示すように、送信側は多数の仮想ビームセルを生成する。これらすべてのビームセルは同じセルＩＤを共有しており、ビーム方向、ビーム形状、ビームプリコーディングベクトルなどのビーム構成をＵＥ１０に通知する必要がない場合があるので、仮想セルまたはセクタと見なされる。逆に、ＵＥ１０は、最高のデータレートを達成するために、仮想ビームセルのうちどのビーム方向が最も強い受信電力を有する最良のビームセルであるかを検出し選択する。
【００３９】
仮想ビームセル構成はネットワークによって制御され、シームレスカバレッジを達成するために直交および準直交または非直交ビームがある。仮想ビームセルは異なるグループに分けられる。一方のグループ内のビームは互いに直交している（すなわち、少なくともそれらのビームメインローブは重なり合っておらず、それらのビームサイドローブ間の干渉は比較的小さく、無視することができる）。一方、準／非直交ビームは異なるグループになる（すなわち、それらのビームメインローブの一部が重なり合ってもよく、および／またはビームサイドローブ間の干渉が比較的大きく、それは無視されなくてもよい）。一方のグループ内のビームは、共通のリソース、例えば、同じＣＳＩ−ＲＳアンテナポートおよびＲＥ位置のＣＳＩ−ＲＳ構成が割り当てられる。しかし、他方のグループのビームは直交リソース、例えば異なるＣＳＩ−ＲＳアンテナポートおよび異なるＣＳＩ−ＲＳ構成のＲＥ位置を使用している。
【００４０】
図４Ａに示されるように、同じＢＳ２０設置されるマッシブＭＩＭＯによって生成される６４個の細いビームがある。図４Ｂに示されている８つの直交ビーム｛ビーム１、２、・・・、８｝のそれぞれは、空間領域において間隔を置いて配置されている。その結果、合計８つのグループがある。図３Ｃに示すように、グループ１のビーム１とグループ２のビーム１は互いに擬似／非直交である。
【００４１】
ビーム間干渉を回避するために、ＢＳ２０は、直交アンテナポート、異なるタイムスロット、サブキャリア、またはリソースブロックなどの直交リソースで、異なるグループ内のビームのＣＳＩ−ＲＳを送信する。各グループに対するＣＳＩ−ＲＳの構成情報が、ＵＥ１０に指示される。これはグループ固有情報と見なすことができる。１つのグループ内の直交ビームは互いに干渉しない。直交ビームは、同じＣＳＩ−ＲＳアンテナポート、同じタイムスロット、同じサブキャリア、またはそれらの組み合わせなどの共通のリソースに割り当てられる。ＵＥ１０が同じグループ内のそれぞれの直交ビームに対して共通に送信されたＣＳＩ−ＲＳを識別することを可能にするために、ＣＳＩ−ＲＳビームパターンが導入され、それは追加の信号情報なしで共通リソース上のＣＳＩ−ＲＳを暗黙的に分離できる。したがって、図３Ａの６４ビームに対する６４個のＣＳＩ−ＲＳが、６４個の直交リソースではなく、８グループまたは８セットの直交リソースだけでよい。さらに、ネットワークは８個のＣＳＩ−ＲＳグループのグループ固有の設定情報のみを通知すればよい。ＵＥ１０は、グループ内の対応するビームを識別するためにＣＳＩ−ＲＳパターンを検出する。
【００４２】
したがって、ＣＳＩ−ＲＳパターンは、｛グループインデックス、ビームインデックス｝のパラメータセットによって識別される。グループインデックスが対応するポートインデックスと同じになるように、異なるビームグループをそれぞれのアンテナポートに割り当てることができる。従来、ネットワークは、アンテナの総数に等しい数のＣＳＩ−ＲＳアンテナポートを設定する。グループ数はアンテナポート数として設定され、グループあたりのビーム数と多重化されたグループ数に等しい最大ビーム数は、送信アンテナの総数に等しいかそれより少ない。
【００４３】
ＢＳ２０で１６本のビームが生成されると仮定すると、ネットワークは、図５ＡのようにＣＳＩ−ＲＳパターンを構成する。すなわち、グループが１〜４であり、グループ毎のビームが１〜４であり、４つのＣＳＩ−ＲＳポートに４つのグループをマッピングされている。他の選択肢は、図５ＢのようにＣＳＩ−ＲＳパターンを構成する。すなわち、グループが１〜８であり、グループ毎のビームが１〜２であり、８つのＣＳＩ−ＲＳポートに８つのグループをマッピングされている。図５ＢのＣＳＩ−ＲＳパターンと比較すると、図５ＡのＣＳＩ−ＲＳパターンは、データ送信のための１ＲＢ当たりのオーバーヘッドがより少なくなり、残りのＲＥがより多くなる。また、各ＲＢ内のＲＥ位置のより多くのＣＳＩ−ＲＳ構成があり、これはより容易なネットワーク計画を可能にし、ＣＳＩ−ＲＳ同士の衝突を減少させる。一方、グループあたりのビーム数が多いほど、ＣＳＩ−ＲＳポートの数が少なくなるが、グループ内のビームのサイドローブでのビーム間干渉が大きくなる可能性がある。
【００４４】
同じリソース上で多重化された直交ビームのグループの複数のＤＬプリコーディングＣＳＩ−ＲＳに対して、ＣＳＩ−ＲＳパターンは異なるビームを暗黙的に識別するように構成される。説明のために、パターン１は、ＣＳＩ−ＲＳリソースユニットに対するビーム固有の電力構成を示し（本発明の第１の実施例の１つ以上の実施形態において説明される）、パターン２は、ＣＳＩ−ＲＳシーケンスに対するビーム固有のスクランブリングシーケンスを示す（本発明の第２の実施例の１つ以上の実施形態において説明される）。
【００４５】
ＣＳＩ−ＲＳの他に、プラマリＳＳ（ＰＳＳ）およびセカンダリＳＳ（ＳＳＳ）を含む同期信号（ＳＳ）、セル固有ＲＳ（ＣＲＳ）、位置決定参照信号（Ｐｏｓｉｔｉｏｎｉｎｇ  Ｒｅｆｅｒｅｎｃｅ  Ｓｉｇｎａｌ；ＰＲＳ）、ＭＢＳＦＮ信号、ならびにディスカバリ信号のような、他の下りリンク参照信号もマッシブＭＩＭＯによるビームフォーミングを使用してカバレージを拡張する。様々な種類のビーム固有ＲＳは、ビーム同期／検出、ビーム選択、および／またはビーム固有チャネル推定に有用である。プリコードされた参照信号に適用されるビーム固有のパターンは、図示した任意のパターンまたはそれらの組み合わせであっても使用するようにフレキシブルである。
【００４６】
本発明の１つ以上の実施形態では、無線通信システムがミリ波帯域でのマッシブＭＩＭＯシステムである例を説明するが、本発明はそれに限定されない。本発明の１つ以上の実施形態では、より低いまたはより高いキャリア周波数で動作するＭＩＭＯシステムは無線通信システムであり得る。また、本発明は、各ノードがマッシブＭＩＭＯを備えているシステムに限定されない。本発明の１つ以上の実施形態は、伝送媒体／バックホールを介して共通の供給源に接続された空間的に分離されたアンテナノードのシステムであって、地理的領域または構造内で無線サービスを提供するものに拡張され得る。
【００４７】
本明細書で説明される実施例及び変形例は互いに組み合わせることができ、これらの実施例の様々な特徴は様々な組み合わせで互いに組み合わせることができる。本発明は、本明細書に開示された特定の組み合わせに限定されない。
【００４８】
本開示は限られた数の本発明の実施形態に関してのみ記載されているが、本開示の利益を得る当業者は、本発明の範囲から逸脱することなく他の様々な実施形態が考案され得ることを理解するであろう。したがって、本発明の範囲は添付の特許請求の範囲によってのみ限定されるべきである。
【００４９】
（第１の実施例）
（ビーム固有ＣＳＩ−ＲＳパターン構成）
本発明の第１の実施例の１つ以上の実施形態によれば、ＢＳ２０は、複数のリソースエレメント（ＲＥ）上に準直交または非直交多重化されているＣＳＩ−ＲＳを生成し、そしてＣＳＩ−ＲＳをＵＥ１０に送信することができる。例えば、ＣＳＩ−ＲＳが多重化されている複数のＲＥに異なる送信電力が適用されてもよい。例えば、ＢＳ２０は、適用される異なる送信電力の値（レベル）を示す送信電力情報をＵＥ１０に通知してもよい。
【００５０】
本発明の１つまたは複数の実施形態では、リソースエレメント（ＲＥ）は、リソースユニット（ＲＵ）またはリソースと呼ばれてもよい。例えば、ＣＳＩ−ＲＳにマッピングされたＲＥは、ＣＳＩ−ＲＳ  ＲＥまたはＣＳＩ−ＲＳ  ＲＵとして示されてもよい。
【００５１】
本発明の第１の実施例の１つ以上の実施形態は、図６Ａ〜図６Ｃに示されるように、ＣＳＩ−ＲＳ  ＲＵ上で異なる電力レベル設定を有するビーム固有ＣＳＩ−ＲＳパターンを導入する。一つの例は、図６Ａのように０／１の２値の電力レベルを設定するものであり、他の例は、図６Ｂのように０／０．５／１／１．５の４値の電力レベルを設定するものである。図６Ｃに示されるように、サイン関数のような連続的な電力レベルを設定することが可能である。しかしながら、より多くの電力レベルの選択があれば、より多くの情報を含み得るが、より複雑な受信機処理を必要とし、雑音および干渉に対してそれほどロバストはものではなくなる。リソースユニット（ＲＵ）は、ＣＳＩ−ＲＳが送信されるＲＢ、またはＣＳＩ−ＲＳアンテナポートセットＳ上の１つ以上のリソース要素であり得る。ここで、ＣＤＭＴｙｐｅが設定されていない場合はＳ＝｛１５｝であり、ＣＤＭＴｙｐｅ=ＣＤＭ２の場合はＳ=｛１５，１６｝、Ｓ=｛１７，１８｝、Ｓ=｛１９，２０｝、Ｓ=｛２１，２２｝であり、ＣＤＭＴｙｐｅ=ＣＤＭ４の場合であって１２ポートのＣＳＩ参照信号に対しては、Ｓ=｛１５，１６，１７，１８｝、Ｓ=｛１９，２０，２１，２２｝、Ｓ=｛２３，２４，２５，２６｝であり、ＣＤＭＴｙｐｅ=ＣＤＭ４の場合であって１６ポートのＣＳＩ参照信号に対しては、Ｓ=｛１５，１６，１９，２０｝、Ｓ=｛１７，１８，２１，２２｝、Ｓ=｛２３，２４，２７，２８｝、Ｓ=｛２５，２６，２９，３０｝である。ここで、ゼロ電力リソースは、ＮＺＰ  ＲＳリソースまたはＺＰ  ＲＳリソース（干渉測定リソース（ＩＭＲ）を含む）の一部として構成され得る。
【００５２】
０／１バイナリ電力レベル設定に基づく直交ビームのグループのためのビーム固有ＣＳＩ−ＲＳパターンを図７に示す。１つのビームに対応するＣＳＩ−ＲＳパターンは、それぞれＮ個のＲＵを有する共通ＣＳＩ−ＲＳリソースに割り当てられ、ＣＳＩ−ＲＳパターンは準直交／非直交の０／１符号からなる。「０」の要素はゼロパワー（ＺＰ）ＣＳＩ−ＲＳ  ＲＵを表し、「１」の要素は非ゼロパワー（ＮＺＰ）ＣＳＩ−ＲＳ  ＲＵを表す。Ｎ個のＣＳＩ−ＲＳ  ＲＵの中には、Ｌ個のＺＰ−ＣＳＩ−ＲＳ  ＲＵの数がある（ただしＬ≧１）。各ビームに対するＺＰ−ＣＳＩ−ＲＳ  ＲＵのうちの少なくとも１つは重複していない。残りのＮ−Ｌ個のＮＺＰ−ＣＳＩ−ＲＳ  ＲＵは、受信機側でＣＳＩを推定するために使用される。図７に示すＣＳＩ−ＲＳパターンは、Ｌ＝１個のＺＰ−ＣＳＩ−ＲＳ  ＲＵを有し、各ビームはビームインデックスとして固有のＺＰ−ＣＳＩ−ＲＳ  ＲＵを有する。準／非直交ＣＳＩ−ＲＳパターンは、最大でＮ個の直交ビームを多重化することができる。
【００５３】
ＣＳＩ−ＲＳシーケンスは異なる方法で生成され得る。１つの方法は、Ｎ個の要素の長さを有する擬似ランダムシーケンスを生成することである。Ｌ個のＺＰ−ＣＳＩ−ＲＳ要素の数は、各ビーム固有のＣＳＩ−ＲＳパターンについてパンクチャされる。相関特性は、Ｎ＞＞Ｌを制御することによってわずかに妥協することができる。別の方法は、長さがＮ−Ｌ個の要素を有する擬似ランダムシーケンスを直接生成し、ビーム固有のＣＳＩ−ＲＳパターンに従って各要素をＮＺＰ−ＣＳＩ−ＲＳ要素位置にマッピングすることである。この場合、受信機側は、ＰＮシーケンスの検出を使用する前に、最初にＺＰ−ＣＳＩ−ＲＳ  ＲＵの位置を検出することができる。バーカーシーケンス、ゴールドシーケンス等のような、良好な自己／相互相関特性を有する他のシーケンスもまた使用され得る。
【００５４】
本発明の１つ以上の実施形態は、直交ビームのグループのＮＺＰ−ＣＳＩ−ＲＳ  ＲＵおよびＺＰ−ＣＳＩ−ＲＳ  ＲＵに対して同じアンテナポートならびに同じＣＳＩ−ＲＳ構成を使用するが、ＺＰ−ＣＳＩ−ＲＳ  ＲＵの電力はパンクチャするものである。図８に示すように、８つのＣＳＩ−ＲＳポートがあり、各ＣＳＩ−ＲＳポート上のＣＳＩ−ＲＳ構成０は、ＣＳＩ−ＲＳを有するすべてのＲＢに対して使用される。同じＣＳＩ−ＲＳ構成０では、各ＲＢにおけるＮＺＰ−ＣＳＩ−ＲＳ  ＲＵおよびＺＰ−ＣＳＩ−ＲＳ  ＲＵの位置は各ポートに対して同じであるが、ＺＰ−ＣＳＩ−ＲＳ  ＲＵ上の送信電力のみが「０」に設定され、ＮＺＰ−ＣＳＩ−ＲＳ  ＲＵの電力は「１」に設定される。ＣＳＩ−ＲＳポートインデックス１５〜２２が、ＮＺＰ−ＣＳＩ−ＲＳ  ＲＵでマークされており、ＺＰ−ＣＳＩ−ＲＳ  ＲＵはマーク「ｘ」の付いたＲＵである。ＺＰ−ＣＳＴＲＳ  ＲＵはビーム固有である。図８に示されるように、同じポート上のビームは同じリソースを使用しているが、ｍ番目のＲＢはビーム１のＺＰ−ＣＳＩ−ＲＳ  ＲＵを有するように構成されるが、（ｍ＋１）番目のＲＢはビーム２のＺＰ−ＣＳＩ−ＲＳ  ＲＵを有するように構成される。セットＳ内のアンテナポートに対して同じＣＳＩ−ＲＳ構成が使用されるので、アンテナポートセット上のビームマッピングのためのＺＰ−ＣＳＩ−ＲＳ  ＲＵの構成は同じであるべきである。図８において、ＣＤＭＴｙｐｅ＝ＣＤＭ２であり、Ｓ＝｛１５、１６｝、Ｓ＝｛１７、１８｝、Ｓ＝｛１９、２０｝、Ｓ＝｛２１、２２｝である。少なくとも、同じアンテナポートセットＳ内のＲＥは一緒に構成されるべきであり、各アンテナポートセットＳ上のビームに対して同じＺＰ−ＣＳＩ−ＲＳ  ＲＵ内のＲＥは一緒に構成されるべきである。図８では、全てのＣＳＩ−ＲＳポート１−８上のビーム０のＺＰ−ＣＳＩ−ＲＳ  ＲＵに対するｍ番目ＲＢ、及び全てのＣＳＩ−ＲＳポート１−８上のビーム１のＺＰ−ＣＳＩ−ＲＳ  ＲＵに対する（ｍ＋１）番目のＲＢが選択される。したがって、複数のＣＳＩ−ＲＳは、複数のＣＳＩ−ＲＳにマッピングされたＲＥ上で準直交的または非直交的に多重化されてもよい。
【００５５】
周期的なＣＳＩ−ＲＳはＬＴＥ  Ｒｅｌｅａｓｅ  １０ですでにサポートされており、ＢＳ２０は、以下に示すようなＣＳＩ−ＲＳパラメータに関連するＲＲＣシグナリングをＲＲＣ接続しているＵＥ１０に通知する。
・ＣＳＩ−ＲＳ状態：オン/オフ
・セルＩＤに基づくＣＳＩ−ＲＳシーケンスの生成
・ＲＢ数に関連するＣＳＩ−ＲＳの総帯域幅
・ＣＳＩ−ＲＳパワー：−６０．００−２００．００ｄＢ
・ＣＳＩ−ＲＳアンテナポート数：１／２／４／８／１２／１６
・ＣＳＩ−ＲＳアンテナポート：ポート１５／ｐｏｒｔｌ５−１６／ｐｏｒｔｌ５−１８／ｐｏｒｔｌ５−２２／ｐｏｒｔｌ５−２６／ｐｏｒｔｌ５−３０
・通常のサイクリックプレフィックスに関するＴＳ３６．２１１の表６．１０．５．２−１及び拡張サイクリックプレフィックスに関するＴＳ３６．２１１の表６．１０．５．２‐２を含むＣＳＩ−ＲＳの構成
・ＣＳＩ−ＲＳサブフレーム設定（Ｉ＿ＣＳＩ−ＲＳ）：０〜１５４
ＣＳＩ−ＲＳサブフレーム構成インデックスは、ＣＳＩ−ＲＳ周期（Ｔ＿ＣＳＩ−ＲＳ）およびＣＳＩ−ＲＳサブフレームオフセットパラメータ（Ｄｅｌｔａ＿ＣＳＩ−ＲＳ）の両方を定義する。ＣＳＩ参照信号を含むサブフレームは、下記の場合に（１０ＳＦＮ  ＋  Ｆｌｏｏｒ（Ｓｌｏｅ＃／２）  −  Ｄｅｌｔａ＿ＣＳＩ−ＲＳ）  ｍｏｄ  Ｔ＿ＣＳＩ−ＲＳ  ＝  ０を満たすものとする。
・Ｉ＿ＣＳＩ−ＲＳ＝０〜４、Ｔ＿ＣＳＩ−ＲＳ＝５、Ｄｅｌｔａ＿ＣＳＩ−ＲＳ＝Ｉ＿ＣＳＩ−ＲＳ
・Ｉ＿ＣＳＩ−ＲＳ＝５〜１４、Ｔ＿ＣＳＩ−ＲＳ＝１０、Ｄｅｌｔａ＿ＣＳＩ−ＲＳ＝Ｉ＿ＣＳＩ−ＲＳ−５
・Ｉ＿ＣＳＩ−ＲＳ＝１５〜３４、Ｔ＿ＣＳＩ−ＲＳ＝２０、Ｄｅｌｔａ＿ＣＳＩ−ＲＳ＝Ｉ＿ＣＳＩ−ＲＳ−１５
・Ｉ＿ＣＳＩ−ＲＳ＝３５〜７４、Ｔ＿ＣＳＩ−ＲＳ＝４０、Ｄｅｌｔａ＿ＣＳＩ−ＲＳ＝Ｉ＿ＣＳＩ−ＲＳ−３５
・Ｉ＿ＣＳＩ−ＲＳ＝７５〜１５４、Ｔ＿ＣＳＩ−ＲＳ＝８０、Ｄｅｌｔａ＿ＣＳＩ−ＲＳ＝Ｉ＿ＣＳＩ−ＲＳ−７５
【００５６】
提案されたビーム固有のＣＳＩ−ＲＳパターンを適用することによって、上位レイヤ（ＲＲＣ）のＣＳＩ−ＲＳパラメータは、ＮＺＰ−ＣＳＩ−ＲＳ  ＲＵのパラメータとＺＰ−ＣＳＩ−ＲＳ  ＲＵのパラメータとを含むべきである。このビーム固有のＣＳＩ−ＲＳは、ＤＬビーム検出／選択および／またはＤＬビームＣＳＩ推定に使用することができる。特に、ＺＰ−ＣＳＴ  ＲＳ構成のパラメータは、最も強い仮想ビームセルのＮＺＰ−ＣＳＩ−ＲＳ  ＲＥ／ＺＰ−ＣＳＩ−ＲＳ  ＲＥを特定することによって、ＵＥ１０に、エネルギー検出に基づいたビーム検出／選択を実行させるために必要とされる。
【００５７】
ビーム検出／選択のためのＣＳＩ−ＲＳパラメータは、大規模フェージングと小規模フェージングの代わりのビーム利得のＲＲＭメジャメントにのみ使用され得る。多数のビーム固有ＣＳＩ−ＲＳの同時送信に基づいてＵＥ１０に最良のビームを選択させるために、ｅＮＢ／ＢＳ２０は、制限されたＣＳＩ−ＲＳ送信電力を、設定されたＣＳＩ−ＲＳ帯域幅のように狭いサブバンドに集中させることができ、同時送信されるＣＳＩ−ＲＳに送信電力を分配することができる。しかし、ビーム固有のＣＳＩ−ＲＳパターンにおいてビーム毎のＲＢ当たりＬ＝１個のＺＰ−ＣＳＩ−ＲＳ  ＲＵのみが使用されると仮定すると、ＣＳＩ−ＲＳ帯域幅は、グループ当たりＮ個の直交ビームを分離するためには少なくとも「Ｎ」個のＲＢを含むべきである。例えば、グループあたり８個のビームについて８個それぞれのＺＰ−ＣＳＩ−ＲＳ  ＲＵを構成するためには、少なくとも８個のＲＢが必要とされる。６４個のＲＢに対して１個のＣＳＩ−ＲＳだけを送信するのに代えて、８個のみのＲＢに対して８個のビーム固有ＣＳＩ−ＲＳを同時に送信するために電力を集中させることによって、ＣＳＩ−ＲＳのカバレッジは変化しない。
【００５８】
従って、ビームの検出／選択には、下記のような上位レイヤのＮＺＰ−ＣＳＩ−ＲＳパラメータとＺＰ−ＣＳＴＲＳパラメータが必要である。
（共通パラメータ）
・ＣＳＩ−ＲＳ  ＲＢの総数に関するＣＳＩ−ＲＳの総帯域幅
・ＣＳＩ−ＲＳパワー：−６０．００−２００．００ｄＢ
・ＣＳＩ−ＲＳアンテナポート数：１／２／４／８／１２／１６
・ＣＳＩ−ＲＳアンテナポート：ｐｏｒｔ１５／ｐｏｒｔｌ５−１６／ｐｏｒｔｌ５−１８／ｐｏｒｔｌ５−２２／ｐｏｒｔｌ５−２６／ｐｏｒｔｌ５−３０
・ＣＳＩ−ＲＳ設定（通常サイクリックプレフィックスについてはＴＳ３６．２１１の表６．１０．５．２−１、拡張サイクリックプレフィックスについてはＴＳ３６．２１１の表の６．１０．５．２−２を含む）
（ＮＺＰ−ＣＳＩ−ＲＳパラメータ）
・ＮＺＰ−ＣＳＩ−ＲＳ状態：オン／オフ
・セルＩＤに基づくＮＺＰ−ＣＳＩ−ＲＳシーケンスの生成
・ＮＺＰ−ＣＳＩ−ＲＳサブフレーム設定（Ｉ＿ＣＳＩ−ＲＳ）：０〜１５４
・ＮＺＰ−ＣＳＩ−ＲＳサブフレーム構成インデックスは、ＮＺＰ−ＣＳＩ−ＲＳ周期（Ｔ＿ＮＺＰ−ＣＳＩ−ＲＳ）とＮＺＰ−ＣＳＩ−ＲＳサブフレームオフセットパラメータ（Ｄｅｌｔａ＿ＮＺＰ−ＣＳＩ−ＲＳ）の両方を定義する。ＣＳＩ参照信号を含むサブフレームは、下記の場合に（１０ＳＦＮ  ＋  Ｆｌｏｏｒ（Ｓｌｏｔ＃／２）  −  Ｄｅｌｔａ＿ＮＺＰ−ＣＳＩ−ＲＳ）  ｍｏｄ  Ｔ＿ＮＺＰ−ＣＳＩ−ＲＳ  ＝  ０を満たすものとする。
・Ｉ＿ＮＺＰ−ＣＳＩ−ＲＳ＝０〜４、Ｔ＿ＮＺＰ−ＣＳＩ−ＲＳ＝５、Ｄｅｌｔａ＿ＮＺＰ−ＣＳＩ−ＲＳ＝Ｉ＿ＮＺＰ−ＣＳＩ−ＲＳ
・Ｉ＿ＮＺＰ−ＣＳＩ−ＲＳ=５〜１４、Ｔ＿ＮＺＰ−ＣＳＩ−ＲＳ＝１０、Ｄｅｌｔａ＿ＮＺＰ−ＣＳＩ−ＲＳ＝Ｉ＿ＮＺＰ−ＣＳＩ−ＲＳ−５
・Ｉ＿ＮＺＰ−ＣＳＩ−ＲＳ＝１５〜３４、Ｔ＿ＮＺＰ−ＣＳＩ−ＲＳ＝２０、Ｄｅｌｔａ＿ＮＺＰ−ＣＳＩ−ＲＳ＝Ｉ＿ＮＺＰ−ＣＳＩ−ＲＳ−１５
・Ｉ＿ＮＺＰ−ＣＳＩ−ＲＳ＝３５〜７４、Ｔ＿ＮＺＰ−ＣＳＩ−ＲＳ＝４０、Ｄｅｌｔａ＿ＮＺＰ−ＣＳＩ−ＲＳ＝Ｉ＿ＮＺＰ−ＣＳＩ−ＲＳ−３５
・Ｉ＿ＮＺＰ−ＣＳＩ−ＲＳ＝７５〜１５４、Ｔ＿ＮＺＰ−ＣＳＩ−ＲＳ＝８０、Ｄｅｌｔａ＿ＮＺＰ−ＣＳＩ−ＲＳ＝Ｉ＿ＮＺＰ−ＣＳＩ−ＲＳ−７５
（ＺＰ−ＣＳＩ−ＲＳパラメータ）
・ＺＰ−ＣＳＩ−ＲＳ状態：オン/オフ
・ＺＰ−ＣＳＩ−ＲＳ状態=オフの場合、ＺＰ−ＣＳＩ−ＲＳは検出されない。
・ＺＰ−ＣＳＩ−ＲＳサブフレーム設定（Ｉ＿ＺＰ−ＣＳＩ−ＲＳ）：０〜１５４
・ＣＳＩ−ＲＳサブフレーム構成インデックスは、ＺＰ−ＣＳＩ−ＲＳ周期（Ｔ＿ＺＰ−ＣＳＩ−ＲＳ）とＺＰ−ＣＳＩ−ＲＳサブフレームオフセット（Ｄｅｌｔａ＿ＺＰ−ＣＳＩ−ＲＳ）の両方を定義する。ＺＰ−ＣＳＩ−ＲＳを含むサブフレームは、下記の場合に（１０ＳＦＮ  +  Ｆｌｏｏｒ（Ｓｌｏｔ＃／２）  −  Ｄｅｌｔａ＿ＺＰ−ＣＳＩ−ＲＳ）  ｍｏｄ  Ｔ＿ＺＰ−ＣＳＩ−ＲＳ  ＝  ０を満たすものとする。
・Ｉ＿ＺＰ−ＣＳＩ−ＲＳ＝０〜４、Ｔ＿ＺＰ−ＣＳＩ−ＲＳ＝５、Ｄｅｌｔａ＿ＺＰ−ＣＳＩ−ＲＳ＝Ｉ＿ＺＰ−ＣＳＩ−ＲＳ
・Ｉ＿ＺＰ−ＣＳＩ−ＲＳ＝５〜１４、Ｔ＿ＺＰ−ＣＳＩ−ＲＳ＝５、Ｄｅｌｔａ＿ＺＰ−ＣＳＩ−ＲＳ＝Ｉ＿ＺＰ−ＣＳＩ−ＲＳ−５
・Ｉ＿ＺＰ−ＣＳＩ−ＲＳ＝１５〜３４、Ｔ＿ＺＰ−ＣＳＩ−ＲＳ＝２０、Ｄｅｌｔａ＿ＺＰ−ＣＳＩ−ＲＳ＝Ｉ＿ＺＰ−ＣＳＩ−ＲＳ−１５
・Ｉ＿ＺＰ−ＣＳＩ−ＲＳ＝３５〜７４、Ｔ＿ＺＰ−ＣＳＩ−ＲＳ＝４０、Ｄｅｌｔａ＿ＺＰ−ＣＳＩ−ＲＳ＝Ｉ＿ＺＰ−ＣＳＩ−ＲＳ−３５
・Ｉ＿ＺＰ−ＣＳＩ−ＲＳ＝７５〜１５４、Ｔ＿ＺＰ−ＣＳＩ−ＲＳ＝８０、Ｄｅｌｔａ＿ＺＰ−ＣＳＩ−ＲＳ＝Ｉ＿ＺＰ−ＣＳＩ−ＲＳ−７５
・デフォルト：ＣＳＩ−ＲＳサブフレーム設定（Ｉ＿ＣＳＩ−ＲＳ）と同じ。
・ＺＰ−ＣＳＩ−ＲＳ  ＲＢ割り当てモード：０／１
・０：連続したＲＢ割り当て
・１：分散したＲＢ割り当て
・各ＣＳＩ−ＲＳポートのビーム数（Ｎ＿Ｂｅａｍ＿Ｐｅｒ＿Ｐｏｒｔ）：０、１、・・・
・ポート毎のビーム毎のＺＰ−ＣＳＩ−ＲＳのＲＵ数（Ｎ＿ＲＵ＿ＺＰ−ＣＳＩ−ＲＳ＿Ｐｅｒ＿Ｂｅａｍ＿Ｐｅｒ＿Ｐｏｒｔ）：０、１、２、・・・
・ＺＰ−ＣＳＩ−ＲＳ  Ｓｔａｔｅ  ＝  オフの場合は０
・ＺＰ−ＣＳＩ−ＲＳサブバンド構成（Ｓｕｂｂａｎｄ＿ＺＰ−ＣＳＩ−ＲＳ）：ＺＰ−ＣＳＩ−ＲＳの検索範囲を単純にブラインド検出に絞り込む
・ＺＰ−ＣＳＩ−ＲＳのＲＢオフセット（Ｄｅｌｔａ＿ＲＢ＿ＺＰ−ＣＳＩ−ＲＳ）
・ＺＰ−ＣＳＩ−ＲＳのＲＢ数（Ｎｕｍｂｅｒ＿ＲＢ＿ＺＰ−ＣＳＩ−ＲＳ）
・ＮＺＰ／ＺＰ−ＣＳＩ−ＲＳのしきい値（Ｔｈｒ）（ネットワーク制御の場合）
・非周期的なビーム固有ＣＳＩ−ＲＳ送信をトリガーするためのしきい値（Ｔｒｉｇｇｅｒ＿Ｔｈｒ）（ネットワーク制御の場合）
【００５９】
典型的には、ＮＺＰ−ＣＳＴＲＳおよびＺＰ−ＣＳＩ−ＲＳは、（ＣＳＩ−ＲＳ  ＲＢの総数）、（ＣＳＩ−ＲＳアンテナポートの数）、（ＣＳＩ−ＲＳアンテナポート）及び（ＣＳＩ−ＲＳ構成）等、ＲＢごとのリソースエレメント構成に関する共通パラメータを共有し得る。そして、各ＵＥ１０は、通常サイクリックプレフィックスについてはＴＳ３６．２１１の表６．１０．５．２−１に従って、拡張サイクリックプレフィックスについてはＴＳ３６．２１１の表６．１０．５．２−２に従って、各ＲＢ内のＮＺＰ−ＣＳＩ−ＲＳ  ＲＥまたはＺＰ−ＣＳＩ−ＲＳ  ＲＥのサブキャリアおよびシンボルインデックスを見つけることができる。しかし、ビーム固有のＺＰ−ＣＳＩ−ＲＳの正確なサブキャリアＲＢ位置は示されていなくてもよく、各ＵＥ１０はブラインドエネルギー検出によって近接する仮想ビームセルを選択する。
【００６０】
ＣＳＩ−ＲＳの帯域幅、周期及びサブフレームオフセットは異なった条件に従って柔軟に設定できる。図９Ａに示すように、ネットワークは２つのタイプのＣＳＩ−ＲＳを設定でき、ＣＳＩ−ＲＳ１はビーム選択のために設定され、ＣＳＩ−ＲＳ１の狭い帯域幅の電力は多数のビーム固有ＣＳＩ−ＲＳをサポートすることができる。ＣＳＩ−ＲＳ２は広帯域幅のＣＳＩメジャメント用に設定されており、電力は選択されたビームのＣＳＩ−ＲＳのみを送信するために使用される。また、ＣＳＩ−Ｓ２では、ＺＰ−ＣＳＩ−ＲＳは必要とされず、すなわち、ＣＳＩ−ＲＳ２のＺＰ−ＣＳＩ−ＲＳはスイッチオフされる。ＣＳＩ−ＲＳ１に基づくビーム選択は、ＣＳＩ−ＲＳ２に基づくＣＳＩ推定よりも少ない頻度で実行され得る。また、ＣＳＩ−ＲＳ１とＣＳＩ−ＲＳ２のＮＺＰ−ＣＳＩ−ＲＳサブフレームオフセット（Ｄｅｌｔａ−ＮＺＰ−ＣＳＩ−ＲＳ）は異なる。
【００６１】
ビーム選択とＣＳＩメジャメントを同時に実行することも可能である。ネットワークは１つのＣＳＩ−ＲＳを設定して、ＮＺＰ−ＣＳＩ−ＲＳおよびＺＰ−ＣＳＩ−ＲＳに対して異なる周期を設定し得るが、Ｄｅｌｔａ−ＮＺＰ−ＣＳＩ−ＲＳと同じＤｅｌｔａ−ＺＰ−ＣＳＩ−ＲＳを維持し得る。図９Ｂに示すように、Ｔ＿ＺＰ−ＣＳＩ−ＲＳ＝２＊Ｔ＿ＮＺＰ−ＣＳＩ−ＲＳであるが、ＺＰ−ＣＳＩ−ＲＳ  ＲＥは、ＮＺＰ−ＣＳＩ−ＲＳ  ＲＥと同じサブフレームオフセットで送信される。ビーム０とビーム１のＮＺＰ−ＣＳＩ−ＲＳ  ＲＥは重複しているが、それらのＺＰ−ＣＳＩ−ＲＳ  ＲＥは異なる。
【００６２】
また、ビーム固有ＣＳＩ−ＲＳパターンに基づくメジャメントのためのいくつかの上位レイヤＺＰ−ＣＳＩ−ＲＳパラメータは、ＣＳＩ−ＲＳパターン検出のブラインド検出の複雑さを軽減するのに有用であり、これについては後述する。また、（Ｔｒｉｇｇｅｒ＿Ｔｈｒ）等の、ビーム固有ＣＳＩ−ＲＳパターンに基づくビーム切り替えのためのいくつかの上位レイヤＺＰ−ＣＳＩ−ＲＳパラメータについても後述する。
【００６３】
特にモバイルＵＥ１０が１つの狭ビームセルから他の狭ビームセルへ移動している場合には、周期的ＣＳＩ−ＲＳ送信に加えて、非周期的ＣＳＩ−ＲＳ送信を設定して、仮想ビームセルおよび／または非周期的ＣＳＩフィードバック／レポートを再選択することも有用である。非周期的ＣＳＩ−ＲＳ送信は、ＵＥ１０が現在のビームセルのＮＺＰ−ＣＳＩ−ＲＳ  ＲＵの受信電力が閾値より弱いことを発見したときに、ＵＥ１０によってトリガーされてもよい（詳細はセクション５．２．４に記載されている）。ＵＥ１０＃１は、ＢＳ２０に非周期的ＣＳＩ−ＲＳを送信するよう依頼する要求を送信してもよい。ネットワークは、現在のビームセルに近いいくつかのビームセルのＣＳＩ−ＲＳを候補ターゲットビームセルとして送信するように設定されてもよい。
【００６４】
ＣＳＩ−ＲＳ  ＲＵの送信電力に関して、いくつかの選択肢がある。各ポート上の全ビームに対する総ＣＳＩ−ＲＳ送信電力Ｐｔｘを仮定すると、ポート当たりのＣＳＩ−ＲＳ送信電力は、Ｐｔｘ＿Ｐｅｒ＿ｐｏｒｔ＝Ｐｔｘ／（ＣＳＩ−ＲＳアンテナポートの数）として計算される。同時に送信されるポート当たり（Ｎ＿Ｂｅａｍ＿Ｐｅｒ＿Ｐｏｒｔ）個のビーム数があるので、ビーム当たりのＣＳＩ−ＲＳ送信電力は、Ｐｔｘ＿Ｐｅｒ＿ｐｏｒｔ＿Ｐｅｒ＿Ｂｅａｍ＝Ｐｔｘ＿Ｐｅｒ＿ｐｏｒｔ／（Ｎ＿Ｂｅａｍ＿Ｐｅｒ＿Ｐｏｒｔ）に等しい。１つの方法は、同じ電力スペクトル密度を維持することであり、各ＮＺＰ−ＣＳＩ−ＲＳ  ＲＵに対する送信電力は、Ｎ個のＣＳＩ−ＲＳ  ＲＵすべてに対してＰｔｘ＿Ｐｅｒ＿ｐｏｒｔ＿Ｐｅｒ＿Ｂｅａｍ／Ｎに等しい。Ｌ個のＺＰ−ＣＳＩ−ＲＳ  ＲＵにパワーをパンクチャするのは簡単である。しかしながら、ＣＳＩ−ＲＳの総送信電力は、β＊Ｐｔｘとして減少する（ここでβ＝１−Ｌ／Ｎである）。１つの方法は、ビーム当たりのＣＳＩ−ＲＳ  ＲＵの総送信電力をＰｔｘ＿Ｐｅｒ＿ｐｏｒｔ＿Ｐｅｒ＿Ｂｅａｍと同じ値に維持することである。ここでＰｔｘ＿Ｐｅｒ＿ｐｏｒｔ＿Ｐｅｒ＿Ｂｅａｍは、Ｐｔｘ＿Ｐｅｒ＿ｐｏｒｔ＿Ｐｅｒ＿Ｂｅａｍ／（Ｎ―Ｌ）としてＮＺＰ−ＣＳＩ−ＲＳ  ＲＵ上にのみ分配される。チャネル推定は、Ｎ−Ｌ個のＮＺＰ−ＣＳＩ−ＲＳ  ＲＵに電力を集中させることによってわずかに改善される。
【００６５】
（ビーム固有ＣＳＩ−ＲＳパターン検出）
設定されたＣＳＩ−ＲＳ  ＲＵのセットに対して定義されたＣＳＩ−ＲＳパターンを使用することによって、ＵＥ１０はエネルギー検出を局所的に実行し、それが強い受信電力を有するいずれかのビームのカバレッジ内にあるかどうかを識別できる。強いビームを検出した場合、ＵＥ１０はさらに、対応するＺＰ−ＣＳＩ−ＲＳ  ＲＵインデックスに従ってビームインデックスを識別することができる。
【００６６】
エネルギー検出は設定されたＣＳＩ−ＲＳ  ＲＵの受信電力レベルをしきい値と比較することである。ここで、ｙｉ［ｎ］＝｛ｙｉ，１［ｎ］、ｙｉ，２［ｎ］、・・・、ｙｉ，Ｍｉ［ｎ］｝Ｔは、ｉ番目のＵＥ１０でＭｉ個のアンテナアレイによって受信されたｎ番目のＣＳＩ−ＲＳ  ＲＵの受信信号を表すものとする。また、Λ［ｎ］＝（｜ｙｉ，１［ｎ］｜２＋｜ｙｉ，２［ｎ］｜２＋・・・＋｜ｙｉ，Ｍｉ［ｎ］｜２）／Ｍｉはｎ番目のＣＳＩ−ＲＳ  ＲＵの受信アンテナに渡る平均受信信号エネルギーを表すものとする。送信側のマッシブＭＩＭＯの使用に基づく狭ビームは、最強パスの電力レベルを大幅に増加させ、チャネル遅延拡散を等価的に減少させ、その結果、周波数領域におけるフェージングが減少する。ｊ番目の受信アンテナでは、周波数領域内のどのＣＳＩ−ＲＳ  ＲＵに対しても｜ｙｉ，ｊ［ｎ］｜２は既にフラットである。受信側でＭｉが大きい場合、チャネル硬化現象は高速フェージングをさらに平均化する。したがって、Λ［ｎ］は大規模フェージングにのみ依存し、各サブキャリアの高速フェージングには敏感ではなく、ほぼ同じ値になる。その結果、Λ［ｎ］がユーザ近接検出の閾値より低い場合、ｎ番目のＲＵはＺＰ−ＣＳＩ−ＲＳ  ＲＥと見なされる。そうではなく、Λ［ｎ］がしきい値よりも高い場合、ｎ番目のＲＵはＮＺＰ−ＣＳＴＲＩ−ＲＥと見なされる。硬判定の結果、全てのサブキャリアが低エネルギーである場合、ｉ番目のＵＥ１０はＣＳＩ−ＲＳ  ＲＥのセットのビームのいずれにもないことになる。低エネルギーＲＵが、正確にｋ番目のビームに対するｋ番目のＣＳＩ−ＲＳパターンのＬ番目のＺＰ−ＣＳＩ−ＲＳ  ＲＵインデックスである場合、ｋ番目のビームセルはｉ番目のＵＥ１０によって選択される。同じセットのＣＳＩ−ＲＳ  ＲＵ上で送信される直交ビームは、ユーザ受信側で見られるメインローブビーム汚染を大幅に低減することができるが、サイドローブビーム汚染は、Ｌ個より少ない低エネルギーＲＵをもたらす可能性がある。そのような場合、ＵＥ１０はＣＳＩ−ＲＳパターンを識別することができず、受信エネルギーは干渉プラス雑音に対して正確なチャネル推定を得るのに十分ではないので、ビームは選択されない。
【００６７】
図１０Ａに一例を示す通り、ＵＥ１０＃１はグループ１のビーム２のカバレッジ内にあるとする。ＵＥ１０＃１は、ＲＥ２において低エネルギーであり他のＲＥにおいて高エネルギーとなる。これは、ビーム２のＣＳＩ−ＲＳパターンと同じである。したがって、ＵＥ１０＃１はビーム２を選択する。しかしながら、ＵＥ１０＃２は、グループ１内の全てのビームのカバー範囲外にある。ＵＥ１０＃２におけるすべてのＲＵの受信電力は低エネルギーであるため、グループ１のビームは選択されない。図１０Ｂでは、ＵＥ１０＃２はグループ２のビーム２内にあるが、ＵＥ１０＃１はそうではない。同様に、ＵＥ１０＃２は固有の低エネルギーＲＥ２を見つけ出し、グループ２のビーム２がビーム２のＣＳＩ−ＲＳパターン構成に従って選択される。しかし、グループ２のビームは、ＵＥ１０＃１によっては選択されない。
【００６８】
ビーム選択の後、ＵＥ１０はさらに、プリコーディングされたチャネルを推定し、そのＣＳＩ−ＲＳパターンインデックスおよびグループインデックスと共に選択されたビームのＣＳＩを報告する。細いビームは移動度に敏感である。ＵＥ１０がビーム間を移動しているとしても、従来のハンドオーバ手順は、仮想ビームセル再選択のためには必要とされない。設計されたＣＳＩ−ＲＳは、高速ビーム選択とＣＳＩ推定とを同時に可能にする。ＵＥ１０は、現在選択されているビームおよびターゲットビームに対応する複数組のＣＳＩ報告を報告することができる。
【００６９】
セクション５．２．１の仮想ビームセルのＣＳＩ−ＲＳパターン構成におけるいくつかのパラメータはＣＳＩ−ＲＳパターン検出とビーム固有のＣＳＩ測定を支援する。ＺＰ−ＣＳＩ−ＲＳサブフレーム構成（Ｉ＿ＺＰ−ＣＳＩ−ＲＳ）に従って、ＵＥ１０は、ＺＰ−ＣＳＩ−ＲＳを用いてＣＳＩ−ＲＳパターンを検出するためのサブフレーム／スロットを見つけることができる。ＺＰ−ＣＳＩ−ＲＳの周期（Ｔ＿ＺＰ−ＣＳＩ−ＲＳ）がＣＳＩ−ＲＳの周期（Ｔ＿ＣＳＩ−ＲＳ）より長い場合、ビームパターン検出はＣＳＩ測定値更新よりも少ない頻度で実行される。また、周波数領域では、ＺＰ−ＣＳＩ−ＲＳのためのＺＰ−ＣＳＩ−ＲＳサブバンド構成およびＲＢ割り当てモードが示され、サーチ帯域幅を狭め、検出の複雑さを減らす。例えば、ＺＰ−ＣＳＩ−ＲＳのＲＢ割り当てモードが連続ＲＢ割り当てである場合、ＵＥ１０は、ＺＰ−ＣＳＩ−ＲＳサブバンド構成を参照してサーチ範囲を見つけ、ＺＰ−ＣＳＩ−ＲＳでＲＢの数を絞り込むことができる。ＺＰ−ＣＳＩ−ＲＳのＲＢ割り当てモードが分散ＲＢ割り当てである場合、ＵＥ１０は、各アンテナポート上のビーム数およびビーム当たりのＺＰ−ＣＳＩ−ＲＳのためのＲＢ数を参照して、均等に分散されたＺＰ−ＣＳＩ−ＲＳのＲＢを検出することができ、全帯域幅または部分的なサブバンドにわたってアンテナポートごとにビームを検出／選択する。ネットワークは、いくつかの選択されたビームセルについてＺＰ−ＣＳＩ−ＲＳ  ＲＵのサブバンドまたはＲＢを示し、ＵＥ１０に測定更新のためまたは測定更新なしのためにそれらの選択されたビームセルのみを検出させることができる。
【００７０】
しきい値設定に関しては、多くのオプションがある。１つの選択肢はネットワーク制御であり、ＵＥ１０に通知される設定された閾値はユーザ固有、ビーム固有、またはセル固有であり得る。それはネットワークが各仮想ビームセルにおける負荷分散を制御するのを支援する。閾値が高すぎると、ＢＳ２０のカバレッジ内には多くのＵＥ１０があるが、未確認のＣＳＩ−ＲＳパターンのために、多くのＲＵが低エネルギーとなり、ビームが選択されないことになる。ネットワークは、ＵＥ１０の分布およびシステムトラフィックの負荷に適応するＴｈｄｅｌｔａによって相対閾値を調整して、より高い周波数帯域でトラフィックを仮想ビームセルにオフロードすることができる。その他の選択肢は、ＵＥ１０にそれらの閾値をローカルに決定させることである。１つの方法は、相対レベル「Δ」を。例えばＴｈ＝ｍａｘ｛Λ［ｎ］｝−Δのような最も高い平均受信信号よりも低く設定することであり、又は、相対レベル「Δ」を、Ｔｈ＝δｎ２−Δのように推定平均雑音電力よりも高く設定することである。
【００７１】
したがって、本発明の第１の実施例の１つ以上の実施形態によれば、ＵＥ１０は、ＣＳＩ−ＲＳに適用される送信電力レベル（値）を示す送信電力情報を使用してビームを検出することができる。
【００７２】
（ビーム固有ＣＳＩ−ＲＳパターンに基づくユーザフィードバック）
ビーム特有のＣＳＩ−ＲＳパターンに基づいて、ネットワーク制御されたユーザフィードバックまたは報告のためにＵＥ１０に示される以下の上位レイヤパラメータは、下記を含む。
・選択されたビームの最大数（ビーム数）：１、２、・・・
・フィードバックモード：周期的または非周期的
・大規模ＲＲＭメジャメントのフィードバック設定
−オン／オフ
−周期（周期的報告の場合）
−ビームフォーミングなしのＲＳＲＰに対するＲＳＲＰまたは大規模ビームゲイン
・小規模ＣＳＩメジャメントのフィードバック設定
−オン／オフ
−周期（周期的報告の場合）
−選択された各ＣＳＩ−ＲＳパターンのＣＳＩフィードバックモード
・ＣＱＩ：チャネル品質インジケータ（ワイドバンドまたはサブバンド）
・ＰＭＩ：プリコーディングマトリクスインジケータ（ワイドバンドまたはサブバンド）
・ＲＩ：ランクインジケータ（ワイドバンドまたはサブバンド）
・ＣＲＩ：ＣＳＩ−ＲＳリソースインジケータ（ワイドバンドまたはサブバンド）
・ＵＥ１０が複数のビームを監視するように構成されている場合に、ＵＥ１０が優先するビームを示す。
・選択したビームまたはＣＳＩ−ＲＳパターンのフィードバック用に割り当てられるリソース設定
−割り当てられるサブバンド
−割り当てられるサブフレーム
【００７３】
ビーム固有ＣＳＩ−ＲＳパターンに基づくユーザフィードバックの上位レイヤパラメータによれば、各ＵＥ１０からのフィードバックは以下のように示される。
・選択されたビームの最大数（ビーム数）：１、２、・・・
・選択したビームまたは選択したＣＳＩ−ＲＳパターンのインデックス：（ポートインデックス、ポート毎のビームインデックス）
−ＣＳＩ−ＲＳパターンインデックス、ＲＢインデックス、またはポート毎のビームインデックスとしてのＺＰ―ＣＳＩ−ＲＳの相対ＲＢインデックス
・大規模ＲＲＭメジャメントのフィードバック（オンの場合）
−選択された各ビームのＲＳＲＰ、またはビームフォーミングなしのＲＳＲＰに対する大規模ビームゲイン
−選択した各ビームのＲＳＲＱ、またはビームフォーミングなしのＲＳＲＱに対する大規模ビームゲイン
・小規模ＣＳＩメジャメントのフィードバック（オンの場合）
−選択された各ＣＳＩ−ＲＳパターンのＣＳＩフィードバック
・ＣＱＩ：チャネル品質インジケータ（ワイドバンドまたはサブバンド）
・ＰＭＩ：プリコーディングマトリクスインジケータ（ワイドバンドまたはサブバンド）
・ＲＩ：ランクインジケータ（ワイドバンドまたはサブバンド）
・ＣＲＩ：ＣＳＩ−ＲＳリソースインジケータ（ワイドバンドまたはサブバンド）
【００７４】
したがって、本発明の第１の実施例の１つ以上の実施形態によれば、ＵＥ１０は、ビーム固有のＣＳＩ−ＲＳパターンに基づいて検出されたビームを示すフィードバック情報をＢＳ２０に送信することができる。
【００７５】
（ビーム固有のＣＳＩ−ＲＳパターンに基づくビーム切り換え）
狭いビームは、ＵＥ１０の受信信号電力を改善するために使用される。しかしながら、より狭いビームは、ユーザのモビリティに対してより敏感である。モバイルＵＥ１０が１つの狭いビームセルのカバレッジから別のものへ移動する場合、データレートの低下を回避するために、ＵＥ１０はビームを再選択する必要がある。
【００７６】
図１１に、ＵＥ１０＃１がグループ１内のビーム２のカバレッジからグループ２内のビーム２のカバレッジへ移動している一例を示す。図１２に示す例示的な動作において、ステップＳ１０１において、ＢＳ２０はメジャメント制御をＵＥ１０に送信し、その後ステップＳ１０２において、ＢＳ２０は周期的ＣＳＩ−ＲＳを送信する。ステップＳ１０３において、ＵＥ１０はビーム切り換え要求をＢＳ２０に送信する。ステップＳ１０４において、ＢＳ２０は非周期的ＣＳＩ−ＲＳを送信する。ステップＳ１０５において、ＵＥ１０は検出されたビームを示すフィードバック情報を送信する。ステップＳ１０６において、ＢＳ２０はビーム切り替えコマンドを送信する。ステップＳ１０７において、ＢＳ２０は、周期的ＣＳＩ−ＲＳを送信する。ＵＥ１０＃１が現在のソースビーム（グループ１のビーム２（アンテナポート１５で送信されるＣＳＩ−ＲＳを含む））のＮＺＰ−ＣＳＩ−ＲＳ  ＲＵの受信電力が、定義されたトリガーしきい値（Ｔｒｉｇｇｅｒ＿Ｔｈｒ）より弱くなっていることを見つけた場合、ＵＥ１０＃１は、例えば、物理的上りリンク制御チャネル（ＰＵＣＣＨ）においてビーム切り換え要求を送信して、ＢＳ２０に非周期的ＣＳＩ−ＲＳ送信を送信させることができる。そのことは、図１２の手順に示されている。その間、ＵＥ１０＃１は、グループ２内のビーム２のＮＺＰ−ＣＳＩ−ＲＳ  ＲＵの受信電力（アンテナポート１６で送信されるＣＳＩ−ＲＳを含む）が増加していることを検出する。グループ２内のビーム２のＮＺＰ−ＣＳＩ−ＲＳ  ＲＵの受信電力がビーム検出のための閾値（Ｔｈｒ）よりも高くなるまで、ＵＥ１０＃１は候補ターゲットビームとしてグループ２内のビーム２を送信する。ビーム特有のＮＺＰ−ＣＳＩ−ＲＳ  ＲＵの受信電力が所定のＴｈｒより高いが、対応するＺＰ−ＣＳＩ−ＲＳ  ＲＵが低電力である場合、ＵＥ１０は複数のビームを有することができる。
【００７７】
Ｔｒｉｇｇｅｒ＿ＴｈｒおよびＴｈｒの両方、ならびにフィードバックのために検出されるビームの最大数は、ネットワーク制御され、以下のように与えられるビーム固有のＣＳＩ−ＲＳパターンのための上位レイヤパラメータに含まれてもよい。
・ＮＺＰ／ＺＰ―ＣＳＩ−ＲＳのしきい値（Ｔｈｒ）（ネットワーク制御の場合）
・非周期的なビーム固有のＣＳＩ−ＲＳ送信をトリガーするためのしきい値（Ｔｒｉｇｇｅｒ＿Ｔｈｒ）（ネットワーク制御の場合）
・最大検出ビーム数（ビーム番号）：１、２、・・・
【００７８】
図１１に示されるように、非周期的ＣＳＩ−ＲＳ送信をより早くトリガーするためにＴｒｉｇｇｅｒ＿ＴｈｒはＴｈｒよりわずかに高く設定され、ビーム切り換え手順は、周期的ＣＳＩ−ＲＳ送信より柔軟性がある非周期的ＣＳＩ−ＲＳ送信のメジャメント／フィードバックに基づいている。２つ以上のビームのフィードバックにより、切り替えビーム切り換え中にＵＥ１０がソースビームとターゲットビームの両方と通信することが可能になり、ソフトビームスイッチが可能となる。上記のパラメータに基づいて、ＵＥ１０は、候補ターゲットビームの中から選択されたビームの以下に例示された情報を報告する。
・選択されたビームの数（ビーム番号）：１、２、・・・
・選択されたビームまたは選択されたＣＳＩ−ＲＳパターンのインデックス：（ポートインデックス、ポート毎のビームインデックス）
−ＣＳＩ−ＲＳパターンインデックス、ＲＢインデックス、またはポート毎のビームインデックスとしてのＺＰ−ＣＳＩ−ＲＳの相対ＲＢインデックス
・大規模ＲＲＭメジャメントのフィードバック（オンの場合）
−選択された各ビームのＲＳＲＰ、またはビームフォーミングなしのＲＳＲＰに対する大規模ビームゲイン
−選択した各ビームのＲＳＲＱ、またはビームフォーミングなしのＲＳＲＱに対する大規模ビームゲイン
・小規模ＣＳＩメジャメントのフィードバック（オンの場合）
−選択された各ＣＳＩ−ＲＳパターンのＣＳＩフィードバック
・ＣＱＩ：チャネル品質インジケータ（ワイドバンドまたはサブバンド）
・ＰＭＩ：プリコーディングマトリクスインジケータ（ワイドバンドまたはサブバンド）
・ＲＩ：ランクインジケータ（ワイドバンドまたはサブバンド）
・ＣＲＩ：ＣＳＩ−ＲＳリソースインジケータ（ワイドバンドまたはサブバンド）
【００７９】
ネットワークはビームスイッチを制御してもよい。上位レイヤパラメータに加えて、物理下りリンク制御チャネル（ＰＤＣＣＨ）などの下位レイヤシグナリングを使用して、非周期的ＣＳＩ−ＲＳのパラメータを即座に指示／選択してもよい。例えば、ソースビームとターゲットビームとの間では、ＰＤＣＣＨ内の１ビットの指示が瞬間的なビーム切り換えコマンドのために使用される。また、非周期的ＣＳＩ−ＲＳのための最大４つの設定された候補ビームの中からターゲットビームを選択するために２ビットの指示を使用することなど、ＰＤＣＣＨにおいて２つ以上のビットを使用することが可能である。ネットワーク制御信号によれば、対応するユーザの振る舞いはサービングビームのＲＲＭ／ＣＳＩメジャメントのために調整される、すなわちビーム切り換えの場合はＣＳＩ平均フィルタリングをリセットする。非周期的ＣＳＩ−ＲＳの持続時間は、ＵＥ１０のモビリティに適応可能であるが、持続時間を設定するように、または非周期的ＣＳＩ−ＲＳの開始／終了タイミングを示すようにシグナリングを構成するなど、検出ビームのフィードバックに基づいてネットワークによって制御され得る。
【００８０】
（第２の実施例）
（ビーム固有ＣＳＩ−ＲＳパターン構成）
本発明の第２の実施例の１つ以上の実施形態によれば、ＢＳ２０は、複数のＲＥに準直交または非直交多重化されているＣＳＩ−ＲＳを生成し、そのＣＳＩ−ＲＳをＵＥ１０に送信することができる。例えば、ＢＳ２０は、ＣＳＩ−ＲＳが多重化されている複数のＲＥを所定のスクランブリングシーケンスでスクランブルしてもよい。例えば、ＢＳ２０は、所定のスクランブリングシーケンスを示すスクランブリングシーケンス情報をＵＥ１０に通知してもよい。
【００８１】
本発明の第２の実施例の１つ以上の実施形態では、異なるスクランブリングシーケンスのビーム固有ＣＳＩ−ＲＳパターンを導入する。基本ＣＳＩ−ＲＳシーケンスｒｌ、ｎｓ（ｍ）が下記の式でＴＳ３６．２１１の§６．１０．５．１の下記の式で定義されるとする。
【数１】
2020506563.tif 000003
擬似乱数列ｃ（ｉ）はＴＳ３６．２１１の§７．２で定義されている。擬似ランダムシーケンス生成器は、各ＯＦＤＭシンボルの開始において下記の式で表されるｃｉｎｉｔで開始される。
【数２】
2020506563.tif 000004
【００８２】
ＰＮシーケンスの他に、Ｂａｒｋｅｒシーケンス、Ｇｏｌｄシーケンス等のような、良好な自己／相互相関特性を有する他のシーケンスもまた使用され得る。
【数３】
2020506563.tif 000005
異なるスクランブリングシーケンスを有するビーム固有ＣＳＩ−ＲＳパターンは、図１３のように、ビーム固有スクランブリングシーケンス初期化を使用することによって示される。
【００８３】
周期的ＣＳＩ−ＲＳは既にＬＴＥリリース１０でサポートされており、ｅＮＢ／ＢＳ２０は下記のようなＣＳＩ−ＲＳパラメータに関連するＲＲＣシグナリングをＲＲＣ接続されたＵＥ１０に通知する。
・ＣＳＩ−ＲＳ状態：オン/オフ
・セルＩＤに基づくＣＳＩ−ＲＳシーケンスの生成
・ＲＢ数に関連するＣＳＩ−ＲＳの総帯域幅
・ＣＳＩ−ＲＳパワー：−６０．００−２００．００ｄＢ
・ＣＳＩ−ＲＳアンテナポート数：１／２／４／８／１２／１６
・ＣＳＩ−ＲＳアンテナポート：ポート１５／ｐｏｒｔｌ５−１６／ｐｏｒｔｌ５−１８／ｐｏｒｔｌ５−２２／ｐｏｒｔｌ５−２６／ｐｏｒｔｌ５−３０
・ＣＳＩ−ＲＳの構成；
・通常のサイクリックプレフィックスについてはＴＳ３６．２１１の表６．１０．５．２−１
・拡張サイクリックプレフィックスについてはＴＳ３６．２１１の表６．１０．５．２‐２
・ＣＳＩ−ＲＳサブフレーム設定（Ｉ＿ＣＳＩ−ＲＳ）：０〜１５４
・ＣＳＩ−ＲＳサブフレーム構成インデックスは、ＣＳＩ−ＲＳ周期（Ｔ＿ＣＳＩ−ＲＳ）およびＣＳＩ−ＲＳサブフレームオフセットパラメータ（Ｄｅｌｔａ＿ＣＳＩ−ＲＳ）の両方を定義する。ＣＳＩ参照信号を含むサブフレームは、下記の場合に（１０ＳＦＮ  ＋  Ｆｌｏｏｒ（Ｓｌｏｅ＃／２）  −  Ｄｅｌｔａ＿ＣＳＩ−ＲＳ）  ｍｏｄ  Ｔ＿ＣＳＩ−ＲＳ  ＝  ０を満たすものとする。
・Ｉ＿ＣＳＩ−ＲＳ＝０〜４、Ｔ＿ＣＳＩ−ＲＳ＝５、Ｄｅｌｔａ＿ＣＳＩ−ＲＳ＝Ｉ＿ＣＳＩ−ＲＳ
・Ｉ＿ＣＳＩ−ＲＳ＝５〜１４、Ｔ＿ＣＳＩ−ＲＳ＝１０、Ｄｅｌｔａ＿ＣＳＩ−ＲＳ＝Ｉ＿ＣＳＩ−ＲＳ−５
・Ｉ＿ＣＳＩ−ＲＳ＝１５〜３４、Ｔ＿ＣＳＩ−ＲＳ＝２０、Ｄｅｌｔａ＿ＣＳＩ−ＲＳ＝Ｉ＿ＣＳＩ−ＲＳ−１５
・Ｉ＿ＣＳＩ−ＲＳ＝３５〜７４、Ｔ＿ＣＳＩ−ＲＳ＝４０、Ｄｅｌｔａ＿ＣＳＩ−ＲＳ＝Ｉ＿ＣＳＩ−ＲＳ−３５
・Ｉ＿ＣＳＩ−ＲＳ＝７５〜１５４、Ｔ＿ＣＳＩ−ＲＳ＝８０、Ｄｅｌｔａ＿ＣＳＩ−ＲＳ＝Ｉ＿ＣＳＩ−ＲＳ−７５
【００８４】
提案されたビーム固有ＣＳＩ−ＲＳパターンを適応させることによって、上位レイヤ（ＲＲＣ）ＣＳＩ−ＲＳパラメータは、ビーム固有のＣＳＩ−ＲＳパターンに関するパラメータを含む。このビーム固有のＣＳＩ−ＲＳは、ＤＬビーム検出／選択および／またはＤＬビームＣＳＩ推定に使用することができる。特に、ビーム固有のＣＳＩ−ＲＳパターンのパラメータは、最も強い仮想ビームセルのＣＳＩ−ＲＳパターンを特定することによって、ＵＥ１０にエネルギー検出に基づくビーム検出／選択を実行させるために必要とされる。
【００８５】
ビーム検出／選択のためのＣＳＩ−ＲＳパラメータは、小規模フェージングではなく、大規模フェージングとビーム利得のＲＲＭメジャメントのみに使用される。多数のビーム固有ＣＳＩ−ＲＳの同時送信に基づいてＵＥ１０に最良のビームを選択させるために、ｅＮＢ／ＢＳ２０は、設定されたＣＳＩ−ＲＳ帯域幅である狭いサブバンドに、制限されたＣＳＩ−ＲＳ送信電力を集中させ、同時に送信されるＣＳＩ−ＲＳに送信電力を分配してもよい。より長いスクランブリングシーケンスは雑音および干渉に対してよりロバストであり、これは受信側でビーム固有ＣＳＩ−ＲＳパターンを識別するのに役立つ。
【００８６】
したがって、ビーム検出／選択のために、下記のようなビーム固有ＣＳＩ−ＲＳパターンの追加の上位レイヤパラメータが必要とされる。
・ＣＳＩ−ＲＳスクランブリングオン/オフ
・ビームＩＤに基づくＣＳＩ−ＲＳスクランブリングシーケンスの生成
・各ＣＳＩ−ＲＳポートのビーム数（Ｎ_Ｂｅａｍ_Ｐｅｒ_Ｐｏｒｔ）：０、１、・・・
・スクランブリングシーケンスの相関検出のしきい値（Ｔｈｒ）（ネットワーク制御の場合）
・非周期的ビーム固有のＣＳＩ−ＲＳ送信をトリガーするためのしきい値（Ｔｒｉｇｇｅｒ_Ｔｈｒ）（ネットワーク制御の場合）
【００８７】
各ＵＥ１０は、隣接仮想ビームセルを選択するためにビーム固有ＣＳＩ−ＲＳシーケンスのビームＩＤを見つけるための相関のブラインド検出に頼っている。
【００８８】
特にモバイルＵＥ１０が１つの狭いビームセルから別の狭いビームセルへ移動している場合に、仮想ビームセルおよび／または非周期的ＣＳＩフィードバック／報告を再選択するために、周期的ＣＳＩ−ＲＳ送信に加えて非周期的ＣＳＩ−ＲＳ送信をすることも有用である。非周期的ＣＳＩ−ＲＳ送信は、ＵＥ１０が現在のビームセルのスクランブリングシーケンス相関が閾値より弱いことを発見したときに、ＵＥ１０によってトリガーされてもよい（詳細は§５．３．４ご参照）。ＵＥ１０＃１が、ＢＳ２０／ｅＮＢに非周期的ＣＳＩ−ＲＳを送信するよう依頼する要求を送信してもよい。ネットワークは、現在のビームセルに近いいくつかのビームセルのＣＳＩ−ＲＳを候補ターゲットビームセルとして送信するように構成することができる。
【００８９】
（ビーム固有ＣＳＩ−ＲＳパターンの検出）
定義されたＣＳＩ−ＲＳパターンを使用することによって、ＵＥ１０は、各ビーム固有スクランブリングシーケンスと受信ＣＳＩ−ＲＳシーケンスとの間の相互相関を局所的に実行して、それが強い相互相関を有するビームのカバレッジ内にあるかどうかを識別できる。強いビームを検出した場合、ＵＥ１０はさらに、対応するスクランブリングシーケンス初期化インデックスに従ってビームインデックスを識別することができる。
【００９０】
一例である図１４Ａでは、ＵＥ１０＃１はグループ１のビーム２のカバレッジ内にある。ＵＥ１０＃１は、グループ１内のビーム２のみで相互相関ピークを見つける。したがって、ＵＥ１０＃１は、グループ１のビーム２を選択する。しかしながら、ＵＥ１０＃２は、グループ１内の全てのビームのカバー範囲外である。すべてのビームの相互相関パワーはしきい値よりも低いため、グループ１のビームは選択されない。図１４Ｂでは、ＵＥ１０＃２はグループ２のビーム２内にあるが、ＵＥ１０＃１はそうではない。同様に、ＵＥ１０＃２は、グループ２のビーム２で固有の相互相関ピークを見つけ出し、グループ２のビーム２がビーム２のＣＳＩ−ＲＳパターン構成に従って選択される。しかし、グループ２のビームは、ＵＥ１０＃１によって選択されない。
【００９１】
ビーム選択の後、ＵＥ１０はさらに、プリコーディングされたチャネルを推定し、そのＣＳＩ−ＲＳパターンインデックスおよびグループインデックスと共に選択されたビームのＣＳＩを報告する。狭いビームはモビリティに敏感です。ＵＥ１０がビーム間を移動しているとしても、仮想ビームセル再選択のために従来のハンドオーバ手順は必要とされない。設計されたＣＳＩ−ＲＳは、高速ビーム選択とＣＳＩ推定とを同時に可能にする。ＵＥ１０は、現在選択されているビームおよびターゲットビームに対応する複数組のＣＳＩ報告を報告することができる。
【００９２】
しきい値設定に関しては、多くのオプションがある。１つの選択肢はネットワーク制御であり、ＵＥ１０に通知される設定された閾値はユーザ固有、ビーム固有、またはセル固有であり得る。それはネットワークが各仮想ビームセルにおける負荷分散を制御するのを支援する。閾値が高すぎると、ＢＳ２０のカバレッジ内に多数のＵＥ１０があるにもかかわらず、未確認のＣＳＩ−ＲＳパターンのためにビームが選択されないことになる。ネットワークは、より高い周波数帯域でトラフィックを仮想ビームセルにオフロードするために、ＵＥ１０の分布およびシステムトラフィックの負荷に適応するＴｈｒｄｅｌｔａによって相対しきい値を調整することができる。別の選択肢は、ＵＥ１０にそれらの閾値をローカルに決定させることである。
【００９３】
したがって、本発明の第２の実施例の１つ以上の実施形態によれば、ＵＥ１０は、ＣＳＩ−ＲＳにマッピングされたスクランブルされたＲＥに使用されるスクランブリングシーケンスを用いてビームを検出することができる。
【００９４】
（ビーム固有ＣＳＩ−ＲＳパターンに基づくユーザフィードバック）
ビーム特有のＣＳＩ−ＲＳパターンに基づいて、ネットワーク制御されたユーザフィードバックまたは報告のためにＵＥ１０に示される以下の上位レイヤパラメータは、下記を含む。
・選択されたビームの最大数（ビーム数）：１、２、・・・
・フィードバックモード：周期的または非周期的
・大規模ＲＲＭメジャメントのフィードバック設定
−オン／オフ
−周期（周期的報告の場合）
−ビームフォーミングなしのＲＳＲＰに対するＲＳＲＰまたは大規模ビームゲイン
・小規模ＣＳＩメジャメントのフィードバック設定
−オン／オフ
−周期（周期的報告の場合）
−選択された各ＣＳＩ−ＲＳパターンのＣＳＩフィードバックモード
・ＣＱＩ：チャネル品質インジケータ（ワイドバンドまたはサブバンド）
・ＰＭＩ：プリコーディングマトリクスインジケータ（ワイドバンドまたはサブバンド）
・ＲＩ：ランクインジケータ（ワイドバンドまたはサブバンド）
・ＣＲＩ：ＣＳＩ−ＲＳリソースインジケータ（ワイドバンドまたはサブバンド）
・ＵＥ１０が複数のビームを監視するように構成されている場合に、ＵＥ１０が優先するビームを示す。
・選択したビームまたはＣＳＩ−ＲＳパターンのフィードバック用に割り当てられるリソース設定
−割り当てられるサブバンド
−割り当てられるサブフレーム
【００９５】
ビーム固有ＣＳＩ−ＲＳパターンに基づくユーザフィードバックの上位レイヤパラメータによれば、各ＵＥ１０からのフィードバックは以下のように示される。
・選択されたビームの最大数（ビーム数）：１、２、・・・
・選択したビームまたは選択したＣＳＩ−ＲＳパターンのインデックス：（ポートインデックス、ポート毎のビームインデックス）
−ＣＳＩ−ＲＳパターンインデックス、スクランブリング初期化インデックス、またはポートごとのビームインデックス
・大規模ＲＲＭメジャメントのフィードバック（オンの場合）
−選択された各ビームのＲＳＲＰ、またはビームフォーミングなしのＲＳＲＰに対する大規模ビームゲイン
−選択した各ビームのＲＳＲＱ、またはビームフォーミングなしのＲＳＲＱに対する大規模ビームゲイン
・小規模ＣＳＩメジャメントのフィードバック（オンの場合）
−選択された各ＣＳＩ−ＲＳパターンのＣＳＩフィードバック
・ＣＱＩ：チャネル品質インジケータ（ワイドバンドまたはサブバンド）
・ＰＭＩ：プリコーディングマトリクスインジケータ（ワイドバンドまたはサブバンド）
・ＲＩ：ランクインジケータ（ワイドバンドまたはサブバンド）
・ＣＲＩ：ＣＳＩ−ＲＳリソースインジケータ（ワイドバンドまたはサブバンド）
【００９６】
したがって、本発明の第１の実施例の１つ以上の実施形態によれば、ＵＥ１０は、ビーム固有のＣＳＩ−ＲＳパターンに基づいて検出されたビームを示すフィードバック情報をＢＳ２０に送信することができる。
【００９７】
（ビーム固有のＣＳＩ−ＲＳパターンに基づくビーム切り換え）
狭いビームは、ＵＥ１０の受信信号電力を改善するために使用される。しかしながら、より狭いビームは、ユーザのモビリティに対してより敏感である。モバイルＵＥ１０が１つの狭いビームセルのカバレッジから別のものへ移動する場合、データレートの低下を回避するために、ＵＥ１０はビームを再選択する必要がある。
【００９８】
図１５には、ＵＥ１０＃１がグループ１内のビーム２のカバレッジからグループ２内のビーム２のカバレッジへ移動している一例が示されている。図１６のステップＳ２０１〜Ｓ２０７は、図１２のステップＳ１０１〜Ｓ１０７と同様である。ＵＥ１０＃１が現在のソースビームであるグループ１のビーム２（アンテナポート１５で送信されるＣＳＩ−ＲＳで）の相互相関ピークが、定義されたトリガーしきい値（Ｔｒｉｇｇｅｒ＿Ｔｈｒ）よりも弱くなっていることを見つけると、ＵＥ１０＃１は、例えば物理上りリンク制御チャネル（ＰＵＣＣＨ）でビーム切り換え要求を送信し、ＢＳ２０／ｅＮＢが非周期的ＣＳＩ−ＲＳ送信を送信することをトリガーしてもよい。これは図１２の手順に示されている。一方、ＵＥ１０＃１は、グループ２内のビーム２の相互相関ピーク（アンテナポート１６で送信されるＣＳＩ−ＲＳで）が増加していることを検出する。グループ２内のビーム２の相関ピークがビーム検出のためのしきい値（Ｔｈｒ）よりも高くなるまで（§５．３．２に記載されるように）、ＵＥ１０＃１は、グループ２内のビーム２を候補ターゲットビームとして送信する。複数のビームの相関ピークが所定のＴｈｒより高い場合、ＵＥ１０はそれら複数のビームを有することができる。
【００９９】
Ｔｒｉｇｇｅｒ＿ＴｈｒおよびＴｈｒの両方、ならびにフィードバックのために検出されるビームの最大数は、ネットワーク制御され、以下のように与えられるビーム固有のＣＳＩ−ＲＳパターンのための上位レイヤパラメータに含まれてもよい。
・相関ピークのしきい値（Ｔｈｒ）（ネットワーク制御の場合）
・非周期的なビーム固有のＣＳＩ−ＲＳ送信をトリガーするためのしきい値（Ｔｒｉｇｇｅｒ＿Ｔｈｒ）（ネットワーク制御の場合）
・最大検出ビーム数（ビーム番号）：１、２、・・・
【０１００】
図１５に示すように、Ｔｒｉｇｇｅｒ＿Ｔｈｒは、非周期的ＣＳＩ−ＲＳ送信をトリガーするためにＴｈｒよりわずかに高く設定され、ビーム切り替え手順は、ソースビームとターゲットビームの両方の測定／フィードバックに基づく。このことにより、ＵＥ１０は切り換え中にソースビームとターゲットビームの両方と通信することができ、ソフトビームスイッチを可能にする。上記のパラメータに基づいて、ＵＥ１０は、候補ターゲットビームの中から選択されたビームの以下に例示された情報を報告する。
・選択されたビームの数（ビーム番号）：１、２、・・・
・選択されたビームまたは選択されたＣＳＩ−ＲＳパターンのインデックス：（ポートインデックス、ポート毎のビームインデックス）
−ＣＳＩ−ＲＳパターンインデックス、ＲＢインデックス、またはポート毎のビームインデックスとしてのＺＰ−ＣＳＩ−ＲＳの相対ＲＢインデックス
・大規模ＲＲＭメジャメントのフィードバック（オンの場合）
−選択された各ビームのＲＳＲＰ、またはビームフォーミングなしのＲＳＲＰに対する大規模ビームゲイン
−選択した各ビームのＲＳＲＱ、またはビームフォーミングなしのＲＳＲＱに対する大規模ビームゲイン
・小規模ＣＳＩメジャメントのフィードバック（オンの場合）
−選択された各ＣＳＩ−ＲＳパターンのＣＳＩフィードバック
・ＣＱＩ：チャネル品質インジケータ（ワイドバンドまたはサブバンド）
・ＰＭＩ：プリコーディングマトリクスインジケータ（ワイドバンドまたはサブバンド）
・ＲＩ：ランクインジケータ（ワイドバンドまたはサブバンド）
・ＣＲＩ：ＣＳＩ−ＲＳリソースインジケータ（ワイドバンドまたはサブバンド）
【０１０１】
上位レイヤパラメータに加えて、物理下りリンク制御チャネル（ＰＤＣＣＨ）などの下位レイヤシグナリングを使用して、非周期的ＣＳＩ−ＲＳのパラメータを即座に指示／選択してもよい。例えば、ソースビームとターゲットビームとの間では、ＰＤＣＣＨ内の１ビットの指示が瞬間的なビーム切り換えコマンドのために使用される。また、非周期的ＣＳＩ−ＲＳのための最大４つの設定された候補ビームの中からターゲットビームを選択するために２ビットの指示を使用することなど、ＰＤＣＣＨにおいて２つ以上のビットを使用することが可能である。ネットワーク制御信号によれば、対応するユーザの振る舞いはサービングビームのＲＲＭ／ＣＳＩメジャメントのために調整される、すなわちビーム切り換えの場合はＣＳＩ平均フィルタリングをリセットする。非周期的ＣＳＩ−ＲＳの持続時間は、ＵＥ１０のモビリティに適応可能であるが、持続時間を設定するように、または非周期的ＣＳＩ−ＲＳの開始／終了タイミングを示すようにシグナリングを構成するなど、検出ビームのフィードバックに基づいてネットワークによって制御され得る。
【０１０２】
本発明の実施形態は、従来の最先端のネットワーク高密度化手法に関して、以下の利点のうちの１つ以上を有する。
・追加のオーバーヘッドなしで、同じアンテナＣＳＩ−ＲＳポート上の多数の仮想ビームセルに多重化されたＣＳＩ−ＲＳを増やす。
・ネットワークは、ユーザが検出したビームパターンに基づいて、ユーザの位置を特定できる。
・同じセルＩＤを共有する、設定されたプリコーディングされたビームは、ＵＥ１０に対して透過的である。
・同じセルＩＤを有する仮想ビームセルを変更するモバイルＵＥ１０にハンドオーバは必要ない。
・ユーザ装置は、対応する仮想ビームセルのカバレッジ内にある場合には、特定されたＣＳＩ−ＲＳビームパターンのインデックスのみをフィードバックする。
・異なる仮想ビームセルについてネットワークへのＲＲＭメジャメント（ＲＳＲＰ／ＲＳＲＱ）の追加のフィードバックは必要ない。
・ＣＳＩフィードバックオーバーヘッドは、ユーザが選択したビームセルにのみ関連しており、ｅＮＢ／ＢＳ２０の送信アンテナ番号には依存しない。
・仮想ビームセル用のＣＳＩ−ＲＳ設計は、ＬＴＥ  ＤＬ  ＣＳＩ−ＲＳとの後方互換性が良好です。
・仮想ビームセルのＤＬ  ＣＳＩ−ＲＳの同時送信は、同じ場所に配置されたＢＳ２０において既に同期されている。
・ＤＬ  ＣＳＩ−ＲＳ送信は、異なるＵＥ１０からのＵＬ  ＲＳに必要とされるような電力制御を必要としない。
【０１０３】
上記の詳細な説明のいくつかの部分は、コンピュータメモリ内のデータビットに対する操作のアルゴリズムおよび記号表現に関して提示されている。これらのアルゴリズムの説明および表現は、データ処理分野の当業者が自分の仕事の内容を他の当業者に最も効果的に伝えるために使用する手段である。アルゴリズムは、ここでは、そして一般的には、所望の結果をもたらす自己矛盾のない一連のステップであると考えられる。これらのステップは、物理量の物理的操作を必要とするものである。必ずというわけではないが通常、これらの量は、記憶、転送、結合、比較、および他の方法で操作することができる電気信号または磁気信号の形をとる。主に一般的な用法上の理由から、これらの信号をビット、値、要素、記号、文字、用語、数などと呼ぶことが時には便利であることが証明されている。
【０１０４】
ただし、これらおよび類似の用語はすべて適切な物理量に関連付けられるべきであり、これらの量に適用される便利なラベルにすぎない。以下の説明から明らかなように特に明記されていない限り、「処理」、「計算」、「計算」、「決定」又は「表示」などの用語を利用する説明は本明細書全体を通して、コンピュータシステムのレジスタおよびメモリ内の物理（電子）量として表されるデータを操作し、コンピュータシステムのメモリまたはレジスタまたは他のもの内の物理量として同様に表される他のデータに変換することを参照することを理解されたい。
【０１０５】
本発明の実施形態は、本明細書に記載された動作を実行するための装置にも関連する。この装置は、要求される目的のために特別に構成されてもよく、あるいはコンピュータに格納されたコンピュータプログラムによって選択的に起動または再構成された汎用コンピュータを含んでもよい。そのようなコンピュータプログラムは、フロッピーディスク、光ディスク、ＣＤ−ＲＯＭ、および光磁気ディスクを含む任意の種類のディスク、読み取り専用メモリ（ＲＯＭ）、ランダムアクセスメモリ（ＲＡＭ）、ＥＰＲＯＭ、ＥＥＰＲＯＭ、磁気または光学カードなど、コンピュータ可読記憶媒体に格納することができる（ただし、これらに限定されない）。あるいは電子命令を格納するのに適した任意の種類の媒体であり、それぞれコンピュータシステムバスに結合されている。
【０１０６】
本明細書に提示されたアルゴリズムおよび表示は、いかなる特定のコンピュータまたは他の装置にも本質的に関連していない。本明細書の教示によるプログラムと共に様々な汎用システムを使用することができ、または必要な方法ステップを実行するためにより専門的な装置を構築することが便利であることを証明することができる。これらの様々なシステムに必要な構造は、以下の説明から明らかになろう。さらに、本発明は、いかなる特定のプログラミング言語に関しても説明されていない。本明細書に記載の本発明の教示を実施するために様々なプログラミング言語を使用できることを理解されよう。
【０１０７】
マシン可読媒体は、マシン（例えばコンピュータ）によって可読な形で情報を格納または送信するための任意のメカニズムを含む。例えば、機械可読媒体は読み取り専用メモリ（「ＲＯＭ」）ランダムアクセスメモリ（「ＲＡＭ」）、気ディスク記憶媒体、光記憶媒体、フラッシュメモリ装置、電気的、光学的、音響的、または他の形態の伝搬信号（例えば、搬送波、赤外線信号、デジタル信号など）等を含む。
【０１０８】
本開示は、主にＮＲに基づくチャネルおよびシグナリング方式の例を説明したが、本発明はそれに限定されない。本発明の１つ以上の実施形態は、ＬＴＥ／ＬＴＥ−ＡなどのＮＲと同じ機能を有する別のチャネルおよびシグナリング方式、ならびに新しく定義されたチャネルおよびシグナリング方式に適用することができる。
【０１０９】
本開示は、チャネル推定およびＣＳＩ−ＲＳに基づくＣＳＩフィードバック方式に関連する技術の例を主に説明したが、本発明はそれに限定されない。本発明の１つ以上の実施形態は、別の同期信号、参照信号、ならびにプライマリ同期信号／セカンダリ同期信号（ＰＳＳ／ＳＳＳ）およびＤＭ−ＲＳなどの物理チャネルに適用することができる。
【０１１０】
本開示は様々なシグナリング方法の例を説明したが、本発明の１つ以上の実施形態によるシグナリングは明示的または暗黙的に実行されてもよい。
【０１１１】
本開示は主に様々なシグナリング方法の例を説明したが、本発明の１つ以上の実施形態によるシグナリングは、ＲＲＣシグナリングなどの上位レイヤシグナリングおよび／またはダウンリンク制御情報（ＤＣＩ）およびメディアアクセス制御  制御エレメント（ＭＡＣ  ＣＥ）などの下位レイヤシグナリングであり得る。さらに、本発明の１つ以上の実施形態によるシグナリングは、マスター情報ブロック（ＭＩＢ）および／またはシステム情報ブロック（ＳＩＢ）を使用することができる。例えば、本発明の１つ以上の実施形態に係るシグナリングとして、ＲＲＣ、ＤＣＩ、及びＭＡＣ  ＣＥのうちの少なくとも２つを組み合わせて使用してもよい。
【０１１２】
本発明の１つ以上の実施形態では、本開示における周波数（周波数領域）リソース、リソースブロック（ＲＢ）、およびサブキャリアは、互いに置き換えられてもよい。時間（時間領域）リソース、サブフレーム、シンボル、およびスロットは互いに入れ替えられてもよい。
【０１１３】
上記の実施例と変形例とは互いに組み合わせることができ、これらの例の様々な特徴を様々な組み合わせで組み合わせることができる。本発明は、本明細書に開示されている特定の組み合わせに限定されない。
【０１１４】
本開示は限られた数の実施形態に関してのみ記載されているが、この開示の利益を享受する当業者は、本発明の範囲から逸脱することなく他の様々な実施形態が考案され得ることを理解するであろう。したがって、本発明の範囲は添付の特許請求の範囲によってのみ限定されるべきである。
【図１】
2020506563.tif 000006
【図２Ａ】
2020506563.tif 000007
【図２Ｂ】
2020506563.tif 000008
【図２Ｃ】
2020506563.tif 000009
【図３】
2020506563.tif 000010
【図４Ａ】
2020506563.tif 000011
【図４Ｂ】
2020506563.tif 000012
【図４Ｃ】
2020506563.tif 000013
【図５Ａ】
2020506563.tif 000014
【図５Ｂ】
2020506563.tif 000015
【図６Ａ】
2020506563.tif 000016
【図６Ｂ】
2020506563.tif 000017
【図６Ｃ】
2020506563.tif 000018
【図７】
2020506563.tif 000019
【図８】
2020506563.tif 000020
【図９Ａ】
2020506563.tif 000021
【図９Ｂ】
2020506563.tif 000022
【図１０Ａ】
2020506563.tif 000023
【図１０Ｂ】
2020506563.tif 000024
【図１１】
2020506563.tif 000025
【図１２】
2020506563.tif 000026
【図１３】
2020506563.tif 000027
【図１４Ａ】
2020506563.tif 000028
【図１４Ｂ】
2020506563.tif 000029
【図１５】
2020506563.tif 000030
【図１６】
2020506563.tif 000031
【国際調査報告】
2020506563.tif 000032
2020506563.tif 000033
2020506563.tif 000034